(57)【要約】      （修正有）【課題】無線通信システムにおける効率的ファーストフィードバック（ｆａｓｔ  ｆｅｅｄｂａｃｋ）チャネルの運用装置及び方法を提供する。【解決手段】基地局がフィードバックチャネルを運用する方法は、端末に対して既存に割り当てられた多数のフィードバックチャネルのうち、解約しようとする一つ以上のフィードバックチャネルのフィードバック情報タイプを確認する過程と、ダウンリンク制御信号内のｄｅａｌｌｏｃａｔｉｏｎ  ｂｉｔｍａｐフィールドにおいて前記確認されたフィードバック情報タイプに対応するビットをアクティブにする過程と、前記ダウンリンク制御信号を端末に送信する過程とを含み、ここで、既存に割り当てられた多数のフィードバックチャネルのフィードバック情報タイプのうち、最も小さな値を有するフィードバック情報タイプは、前記ｄｅａｌｌｏｃａｔｉｏｎ  ｂｉｔｍａｐフィールド内のビットのうち、最優先のビットに対応する。【選択図】図３
2011139470.tif 000002
【特許請求の範囲】
【請求項１】
無線通信システムにおける基地局がフィードバック（ｆｅｅｄｂａｃｋ）チャネルを運用する方法であって、
端末に対して既存に割り当てられた多数のフィードバックチャネルのうち、解約しようとする一つ以上のフィードバックチャネルのフィードバック情報タイプを確認する過程と、
ダウンリンク制御信号内のｄｅａｌｌｏｃａｔｉｏｎ  ｂｉｔｍａｐフィールドにおいて前記確認されたフィードバック情報タイプに対応するビット（ｂｉｔ）をアクティブにする過程と、
前記ダウンリンク制御信号を端末に送信する過程とを含み、
ここで、既存に割り当てられた多数のフィードバックチャネルのフィードバック情報タイプのうち、最も小さな値を有するフィードバック情報タイプは、前記ｄｅａｌｌｏｃａｔｉｏｎ  ｂｉｔｍａｐフィールド内のビットのうち、最優先のビットに対応することを特徴とする方法。
【請求項２】
前記フィードバック情報タイプは、ＭＦＭ（ＭＩＭＯ  Ｆｅｅｄｂａｃｋ  Ｍｏｄｅ）、相関行列、ｍｕｌｔｉ−ＢＳ  ＭＩＭＯのうち、少なくとも一つを含むことを特徴とする請求項１に記載の方法。
【請求項３】
前記ｄｅａｌｌｏｃａｔｉｏｎ  ｂｉｔｍａｐフィールドにおいて各ビットに対応する前記フィードバック情報タイプの順序は、最も小さな値のＭＦＭ、最も大きな値のＭＦＭ、相関行列、ｍｕｌｔｉ−ＢＳ  ＭＩＭＯの順序であることを特徴とする請求項２に記載の方法。
【請求項４】
前記フィードバックチャネルは、ファーストフィードバックチャネルであることを特徴とする請求項１に記載の方法。
【請求項５】
前記ダウンリンク制御信号は、Ｆｅｅｄｂａｃｋ  Ｐｏｌｌｉｎｇ  Ａ−ＭＡＰ  ＩＥであることを特徴とする請求項１に記載の方法。
【請求項６】
前記ダウンリンク制御信号は、Ｆｅｅｄｂａｃｋ  Ａｌｌｏｃａｔｉｏｎ  Ａ−ＭＡＰ  ＩＥであることを特徴とする請求項１に記載の方法。
【請求項７】
無線通信システムにおける端末がフィードバックチャネルを運用する方法であって、
基地局からダウンリンク制御信号が受信される際、前記ダウンリンク制御信号内のｄｅａｌｌｏｃａｔｉｏｎ  ｂｉｔｍａｐフィールドにおいてアクティブになっているビットを確認する過程と、
前記確認されたビットに対応するフィードバック情報タイプを利用して、解約が要求される一つ以上のフィードバックチャネルを確認する過程と、
既存に割り当てられた多数のフィードバックチャネルのうち、前記確認された一つ以上のフィードバックチャネルを解約する過程とを含み、
ここで、既存に割り当てられた多数のフィードバックチャネルのフィードバック情報タイプのうち、最も小さな値を有するフィードバック情報タイプは、前記ｄｅａｌｌｏｃａｔｉｏｎ  ｂｉｔｍａｐフィールド内のビットのうち、最優先のビットに対応することを特徴とする方法。
【請求項８】
前記フィードバック情報タイプは、ＭＦＭ（ＭＩＭＯ  Ｆｅｅｄｂａｃｋ  Ｍｏｄｅ）、相関行列、ｍｕｌｔｉ−ＢＳ  ＭＩＭＯのうち、少なくとも一つを含むことを特徴とする請求項７に記載の方法。
【請求項９】
前記ｄｅａｌｌｏｃａｔｉｏｎ  ｂｉｔｍａｐフィールドにおいて各ビットに対応する前記フィードバック情報タイプの順序は、最も小さな値のＭＦＭ、最も大きな値のＭＦＭ、相関行列、ｍｕｌｔｉ−ＢＳ  ＭＩＭＯの順序であることを特徴とする請求項８に記載の方法。
【請求項１０】
前記フィードバックチャネルは、ファーストフィードバックチャネルであることを特徴とする請求項７に記載の方法。
【請求項１１】
前記ダウンリンク制御信号は、Ｆｅｅｄｂａｃｋ  Ｐｏｌｌｉｎｇ  Ａ−ＭＡＰ  ＩＥであることを特徴とする請求項７に記載の方法。
【請求項１２】
前記ダウンリンク制御信号は、Ｆｅｅｄｂａｃｋ  Ａｌｌｏｃａｔｉｏｎ  Ａ−ＭＡＰ  ＩＥであることを特徴とする請求項７に記載の方法。
【請求項１３】
無線通信システムにおけるフィードバックチャネルを運用する基地局の装置であって、
端末に対して既存に割り当てられた多数のフィードバックチャネルのうち、解約しようとする一つ以上のフィードバックチャネルのフィードバック情報タイプを確認し、ダウンリンク制御信号内のｄｅａｌｌｏｃａｔｉｏｎ  ｂｉｔｍａｐフィールドにおいて前記確認されたフィードバック情報タイプに対応するビットをアクティブにするダウンリンク制御信号生成器と、
前記ダウンリンク制御信号を端末に送信する送信機とを備え、
ここで、既存に割り当てられた多数のフィードバックチャネルのフィードバック情報タイプのうち、最も小さな値を有するフィードバック情報タイプは、前記ｄｅａｌｌｏｃａｔｉｏｎ  ｂｉｔｍａｐフィールド内のビットのうち、最優先のビットに対応することを特徴とする装置。
【請求項１４】
前記フィードバック情報タイプは、ＭＦＭ（ＭＩＭＯ  Ｆｅｅｄｂａｃｋ  Ｍｏｄｅ）、相関行列、ｍｕｌｔｉ−ＢＳ  ＭＩＭＯのうち、少なくとも一つを含むことを特徴とする請求項１３に記載の装置。
【請求項１５】
前記ｄｅａｌｌｏｃａｔｉｏｎ  ｂｉｔｍａｐフィールドにおいて各ビットに対応する前記フィードバック情報タイプの順序は、最も小さな値のＭＦＭ、最も大きな値のＭＦＭ、相関行列、ｍｕｌｔｉ−ＢＳ  ＭＩＭＯの順序であることを特徴とする請求項１４に記載の装置。
【請求項１６】
前記フィードバックチャネルは、ファーストフィードバックチャネルであることを特徴とする請求項１３に記載の装置。
【請求項１７】
前記ダウンリンク制御信号は、Ｆｅｅｄｂａｃｋ  Ｐｏｌｌｉｎｇ  Ａ−ＭＡＰ  ＩＥであることを特徴とする請求項１３に記載の装置。
【請求項１８】
前記ダウンリンク制御信号は、Ｆｅｅｄｂａｃｋ  Ａｌｌｏｃａｔｉｏｎ  Ａ−ＭＡＰ  ＩＥであることを特徴とする請求項１３に記載の装置。
【請求項１９】
無線通信システムにおけるフィードバックチャネルを運用する端末の装置であって、
基地局からダウンリンク制御信号を受信する受信機と、
前記ダウンリンク制御信号内のｄｅａｌｌｏｃａｔｉｏｎ  ｂｉｔｍａｐフィールドにおいてアクティブになっているビットを確認し、前記確認されたビットに対応するフィードバック情報タイプを利用して、解約が要求される一つ以上のフィードバックチャネルを確認して、既存に割り当てられた多数のフィードバックチャネルのうち、前記確認された一つ以上のフィードバックチャネルを解約するダウンリンク制御信号処理器とを備え、
ここで、既存に割り当てられた多数のフィードバックチャネルのフィードバック情報タイプのうち、最も小さな値を有するフィードバック情報タイプは、前記ｄｅａｌｌｏｃａｔｉｏｎ  ｂｉｔｍａｐフィールド内のビットのうち、最優先のビットに対応することを特徴とする装置。
【請求項２０】
前記フィードバック情報タイプは、ＭＦＭ（ＭＩＭＯ  Ｆｅｅｄｂａｃｋ  Ｍｏｄｅ）、相関行列、ｍｕｌｔｉ−ＢＳ  ＭＩＭＯのうち、少なくとも一つを含むことを特徴とする請求項１９に記載の装置。
【請求項２１】
前記ｄｅａｌｌｏｃａｔｉｏｎ  ｂｉｔｍａｐフィールドにおいて各ビットに対応する前記フィードバック情報タイプの順序は、最も小さな値のＭＦＭ、最も大きな値のＭＦＭ、相関行列、ｍｕｌｔｉ−ＢＳ  ＭＩＭＯの順序であることを特徴とする請求項２０に記載の装置。
【請求項２２】
前記フィードバックチャネルは、ファーストフィードバックチャネルであることを特徴とする請求項１９に記載の装置。
【請求項２３】
前記ダウンリンク制御信号は、Ｆｅｅｄｂａｃｋ  Ｐｏｌｌｉｎｇ  Ａ−ＭＡＰ  ＩＥであることを特徴とする請求項１９に記載の装置。
【請求項２４】
前記ダウンリンク制御信号は、Ｆｅｅｄｂａｃｋ  Ａｌｌｏｃａｔｉｏｎ  Ａ−ＭＡＰ  ＩＥであることを特徴とする請求項１９に記載の装置。
【発明の詳細な説明】
【技術分野】
【０００１】
本発明は、無線通信システムにおける効率的なファーストフィードバックチャネルの運用装置及び方法に関し、特に、直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：ＯＦＤＭＡ）方式を基盤とする無線通信システムにおいて端末当たりの複数のファーストフィードバックチャネルを運用する場合、ファーストフィードバックチャネルの効率的な割り当て及び解約のための装置及び方法に関する。
【背景技術】
【０００２】
次世代通信システムである４世帯（４ｔｈ  Ｇｅｎｅｒａｔｉｏｎ；以下、４Ｇとする）通信システムでは、約１００Ｍｂｐｓの送信速度を用いて、多様なサービス品質（ＱｏＳ；Ｑｕａｌｉｔｙ  ｏｆ  Ｓｅｒｖｉｃｅ；以下、ＱｏＳとする）を有するサービスをユーザに提供するための研究が盛んに進められている。特に、現在４Ｇ通信システムでは、無線近距離通信ネットワーク（ＷＬＡＮ；Ｗｉｒｅｌｅｓｓ  Ｌｏｃａｌ  Ａｒｅａ  Ｎｅｔｗｏｒｋ）システム及び無線メトロポリタンエリアネットワーク（ＷＭＡＮ；Ｗｉｒｅｌｅｓｓ  Ｍｅｔｒｏｐｏｌｉｔａｎ  Ａｒｅａ  Ｎｅｔｗｏｒｋ）システムのような広帯域無線アクセス（ＢＷＡ；Ｂｒｏａｄｂａｎｄ  Ｗｉｒｅｌｅｓｓ  Ａｃｃｅｓｓ）通信システムに移動性とＱｏＳとを保障する形態で高速サービスを支援するようにする研究が盛んに行われている。その代表的な通信システムがＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６システムである。前記ＩＥＥＥ  ８０２．１６システム規格システムは、物理チャネル（Ｐｈｙｓｉｃａｌ  Ｃｈａｎｎｅｌ）での広帯域（Ｂｒｏａｄｂａｎｄ）送信ネットワークを支援するために、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下、ＯＦＤＭとする）／直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ，以下、ＯＦＤＭＡとする）方式を採用した通信システムである。
【０００３】
前記ＯＦＤＭＡ方式を基盤とする代表的なＩＥＥＥ８０２．１６ｍ無線通信システムは、ファーストフィードバック（ｆａｓｔ  ｆｅｅｄｂａｃｋ）チャネルの割り当て及び解約を端末機に指示するために、Ｆｅｅｄｂａｃｋ  Ａｌｌｏｃａｔｉｏｎ  Ａ−ＭＡＰ  ＩＥ（Ｆｅｅｄｂａｃｋ  Ａｌｌｏｃａｔｉｏｎ  Ａｄｖａｎｃｅｄ−ＭＡＰ  Ｉｎｆｏｒｍａｔｉｏｎ  Ｅｌｅｍｅｎｔ）の制御信号を使用する。現在、Ｆｅｅｄｂａｃｋ  Ａｌｌｏｃａｔｉｏｎ  Ａ−ＭＡＰ  ＩＥは、一つのファーストフィードバックチャネルを管理できる。新しいファーストフィードバックチャネルを割り当てる場合、Ｆｅｅｄｂａｃｋ  Ａｌｌｏｃａｔｉｏｎ  Ａ−ＭＡＰ  ＩＥを介してフィードバック周期（ｆｅｅｄｂａｃｋ  ｐｅｒｉｏｄ）、割り当て区間（ａｌｌｏｃａｔｉｏｎ  ｄｕｒａｔｉｏｎ）、ファーストフィードバックチャネルの物理的な位置及びファーストフィードバックチャネルを介して送信されなければならないフィードバック情報の種類などを伝達する。ここで、フィードバック情報の種類は、ＭＦＭ（ＭＩＭＯ  Ｆｅｅｄｂａｃｋ  Ｍｏｄｅ）フィールドを介して決定される。
【０００４】
既存に割り当てられているファーストフィードバックチャネルの解約は、２種類の方式によりなされうる。第１の方式は、ファーストフィードバックチャネルの割り当ての際、Ｆｅｅｄｂａｃｋ  Ａｌｌｏｃａｔｉｏｎ  Ａ−ＭＡＰ  ＩＥ内に割り当て区間（ａｌｌｏｃａｔｉｏｎ  ｄｕｒａｔｉｏｎ）フィールドが特定の区間に設定されており、該当割り当て区間が終了した場合、自動的に解約される方式である。第２の方式は、基地局が強制的に解約する方式で、これは、割り当て区間フィールドを０ｂ０００に設定したＦｅｅｄｂａｃｋ  Ａｌｌｏｃａｔｉｏｎ  Ａ−ＭＡＰ  ＩＥを新しく送信及び受信することによりなされる。
【０００５】
現在のＤ３基準の標準は、Ｆｅｅｄｂａｃｋ  Ａｌｌｏｃａｔｉｏｎ  Ａ−ＭＡＰ  ＩＥを介して新しいファーストフィードバックチャネルが割り当てられる際に、既存のファーストフィードバックチャネルは、自動的に解約されるという構造を有している。すなわち、端末当たりの一個のファーストフィードバックチャネルのみが存在する制約条件を有している。仮に、複数のファーストフィードバックチャネルの運用のために、このような制約条件がなくなる場合、ファーストフィードバックチャネルの解約及び新しい割り当てなどの過程が非効率的になる。すなわち、端末に既割り当てられた多数のファーストフィードバックチャネルが存在し、これらのうち、一部又は全体を解約しようとするならば、基地局は、各チャネル別に解約を知らせるために、解約しようとするチャネル個数だけのＦｅｅｄｂａｃｋ  Ａｌｌｏｃａｔｉｏｎ  Ａ−ＭＡＰ  ＩＥを送信しなければならない。これと共に、新しいファーストフィードバックチャネルを割り当てようとするならば、新しい割り当てを知らせるＦｅｅｄｂａｃｋ  Ａｌｌｏｃａｔｉｏｎ  Ａ−ＭＡＰ  ＩＥを再度送信しなければならない。
【０００６】
そのため、ＯＦＤＭＡ方式を基盤とする無線通信システムにおいて端末当たりの複数のファーストフィードバックチャネルを運用する場合、ファーストフィードバックチャネルの効率的な割り当て及び解約方案の提示が必要となる。
【先行技術文献】
【特許文献】
【０００７】
【特許文献１】韓国公開特許第１０−２００８−０００８５８４号公報
【発明の概要】
【発明が解決しようとする課題】
【０００８】
本発明の目的は、無線通信システムにおける効率的なファーストフィードバックチャネルの運用装置及び方法を提供することにある。
【０００９】
本発明の他の目的は、ＯＦＤＭＡ方式を基盤とする無線通信システムにおいて端末当たりの複数のファーストフィードバックチャネルを運用する場合、ファーストフィードバックチャネルの効率的な割り当て及び解約のための装置及び方法を提供することにある。
【００１０】
本発明のさらに他の目的は、ＯＦＤＭＡ方式を基盤とする無線通信システムにおいて端末当たりの複数のアップリンクファーストフィードバックチャネルを運用する場合、一つのダウンリンク制御信号を利用して新しいファーストフィードバックチャネルを割り当てると共に、既存に割り当てられた複数のファーストフィードバックチャネルを選択的に解約するための装置及び方法を提供することにある。
【００１１】
本発明のさらに他の目的は、ＯＦＤＭＡ方式を基盤とする無線通信システムにおいて端末当たりの複数のアップリンクファーストフィードバックチャネルを運用する場合、ダウンリンク制御信号内に解約が要求される既存ファーストフィードバックチャネルに対する情報をビットマップ形式で含めることによって、複数のファーストフィードバックチャネルに対して望む解約を端末に指示するための装置及び方法を提供することにある。
【００１２】
本発明のさらに他の目的は、ＯＦＤＭＡ方式を基盤とする無線通信システムにおいて端末当たりの複数のアップリンクファーストフィードバックチャネルを運用する場合、Ｆｅｅｄｂａｃｋ  Ａｌｌｏｃａｔｉｏｎ  Ａ−ＭＡＰ  ＩＥ内のＭＦＭフィールドを利用して、既存に割り当てられたファーストフィードバックチャネルのＭＦＭ順序とビットマップ内での位置とを接続させることによって、ファーストフィードバックチャネルを区分するための装置及び方法を提供することにある。
【００１３】
本発明のさらに他の目的は、ＯＦＤＭＡ方式を基盤とする無線通信システムにおいて端末当たりの複数のアップリンクファーストフィードバックチャネルを運用する場合、Ｆｅｅｄｂａｃｋ  Ｐｏｌｌｉｎｇ  Ａ−ＭＡＰ  ＩＥ内のＭＦＭフィールドを利用して、既存に割り当てられたフィードバックチャネルのＭＦＭ順序とビットマップ内での位置とを接続させることによって、フィードバックチャネルを区分するための装置及び方法を提供することにある。
【課題を解決するための手段】
【００１４】
上記の目的を達成すべく、本発明の第１見地によれば、無線通信システムにおける基地局がフィードバック（ｆｅｅｄｂａｃｋ）チャネルを運用する方法は、端末に対して既存に割り当てられた多数のフィードバックチャネルのうち、解約しようとする一つ以上のフィードバックチャネルのフィードバック情報タイプを確認する過程と、ダウンリンク制御信号内のｄｅａｌｌｏｃａｔｉｏｎ  ｂｉｔｍａｐフィールドにおいて前記確認されたフィードバック情報タイプに対応するビット（ｂｉｔ）をアクティブにする過程と、前記ダウンリンク制御信号を端末に送信する過程とを含み、ここで、既存に割り当てられた多数のフィードバックチャネルのフィードバック情報タイプのうち、最も小さな値を有するフィードバック情報タイプは、前記ｄｅａｌｌｏｃａｔｉｏｎ  ｂｉｔｍａｐフィールド内のビットのうち、最優先のビットに対応することを特徴とする。
【００１５】
本発明の第２見地によれば、無線通信システムにおける端末がフィードバックチャネルを運用する方法は、基地局からダウンリンク制御信号が受信される際、前記ダウンリンク制御信号内のｄｅａｌｌｏｃａｔｉｏｎ  ｂｉｔｍａｐフィールドにおいてアクティブになっているビットを確認する過程と、前記確認されたビットに対応するフィードバック情報タイプを利用して、解約が要求される一つ以上のフィードバックチャネルを確認する過程と、既存に割り当てられた多数のフィードバックチャネルのうち、前記確認された一つ以上のフィードバックチャネルを解約する過程とを含み、ここで、既存に割り当てられた多数のフィードバックチャネルのフィードバック情報タイプのうち、最も小さな値を有するフィードバック情報タイプは、前記ｄｅａｌｌｏｃａｔｉｏｎ  ｂｉｔｍａｐフィールド内のビットのうち、最優先のビットに対応することを特徴とする。
【００１６】
本発明の第３見地によれば、無線通信システムにおけるフィードバックチャネルを運用する基地局の装置は、端末に対して既存に割り当てられた多数のフィードバックチャネルのうち、解約しようとする一つ以上のフィードバックチャネルのフィードバック情報タイプを確認し、ダウンリンク制御信号内のｄｅａｌｌｏｃａｔｉｏｎ  ｂｉｔｍａｐフィールドにおいて前記確認されたフィードバック情報タイプに対応するビットをアクティブにするダウンリンク制御信号生成器と、前記ダウンリンク制御信号を端末に送信する送信機とを備え、ここで、既存に割り当てられた多数のフィードバックチャネルのフィードバック情報タイプのうち、最も小さな値を有するフィードバック情報タイプは、前記ｄｅａｌｌｏｃａｔｉｏｎ  ｂｉｔｍａｐフィールド内のビットのうち、最優先のビットに対応することを特徴とする。
【００１７】
本発明の第４見地によれば、無線通信システムにおけるフィードバックチャネルを運用する端末の装置は、基地局からダウンリンク制御信号を受信する受信機と、前記ダウンリンク制御信号内のｄｅａｌｌｏｃａｔｉｏｎ  ｂｉｔｍａｐフィールドにおいてアクティブになっているビットを確認し、前記確認されたビットに対応するフィードバック情報タイプを利用して、解約が要求される一つ以上のフィードバックチャネルを確認して、既存に割り当てられた多数のフィードバックチャネルのうち、前記確認された一つ以上のフィードバックチャネルを解約するダウンリンク制御信号処理器とを備え、ここで、既存に割り当てられた多数のフィードバックチャネルのフィードバック情報タイプのうち、最も小さな値を有するフィードバック情報タイプは、前記ｄｅａｌｌｏｃａｔｉｏｎ  ｂｉｔｍａｐフィールド内のビットのうち、最優先のビットに対応することを特徴とする。
【発明の効果】
【００１８】
本発明によれば、ＯＦＤＭＡ方式を基盤とする無線通信システムにおいて端末当たりの複数のアップリンクファーストフィードバックチャネルを運用する場合、ダウンリンク制御信号内に解約が要求される既存ファーストフィードバックチャネルに対する情報をビットマップ形式で含めることによって、複数のファーストフィードバックチャネルに対して望む解約を端末に指示できて、進んで複数のファーストフィードバックチャネルを效率的に管理できるという利点がある。
【図面の簡単な説明】
【００１９】
【図１】本発明に係るＯＦＤＭＡ方式を基盤とする無線通信システムにおける基地局の装置構成を示すブロック図である。
【図２】本発明に係るＯＦＤＭＡ方式を基盤とする無線通信システムにおける端末の装置構成を示すブロック図である。
【図３】本発明の第１の実施の形態に係るＯＦＤＭＡ方式を基盤とする無線通信システムにおいて端末当たりの複数のファーストフィードバックチャネルを運用する場合、ファーストフィードバックチャネルの効率的な割り当て及び解約のための基地局の動作方法を示すフローチャートである。
【図４】本発明の第１の実施の形態に係るＯＦＤＭＡ方式を基盤とする無線通信システムにおいて端末当たりの複数のファーストフィードバックチャネルを運用する場合、ファーストフィードバックチャネルの効率的な割り当て及び解約のための端末の動作方法を示すフローチャートである。
【図５Ａ】本発明の第２の実施の形態に係るＯＦＤＭＡ方式を基盤とする無線通信システムにおいて端末当たりの複数のファーストフィードバックチャネルを運用する場合、ファーストフィードバックチャネルの効率的な割り当て及び解約のための基地局の動作方法を示すフローチャートである。
【図５Ｂ】本発明の第２の実施の形態に係るＯＦＤＭＡ方式を基盤とする無線通信システムにおいて端末当たりの複数のファーストフィードバックチャネルを運用する場合、ファーストフィードバックチャネルの効率的な割り当て及び解約のための基地局の動作方法を示すフローチャートである。
【図６】本発明の第２の実施の形態に係るＯＦＤＭＡ方式を基盤とする無線通信システムにおいて端末当たりの複数のファーストフィードバックチャネルを運用する場合、ファーストフィードバックチャネルの効率的な割り当て及び解約のための端末の動作方法を示すフローチャートである。
【図７Ａ】本発明の第３の実施の形態に係るＯＦＤＭＡ方式を基盤とする無線通信システムにおいて端末当たりの複数のファーストフィードバックチャネルを運用する場合、フィードバックチャネルの効率的な割り当て及び解約のための基地局の動作方法を示すフローチャートである。
【図７Ｂ】本発明の第３の実施の形態に係るＯＦＤＭＡ方式を基盤とする無線通信システムにおいて端末当たりの複数のファーストフィードバックチャネルを運用する場合、フィードバックチャネルの効率的な割り当て及び解約のための基地局の動作方法を示すフローチャートである。
【図８Ａ】本発明の第３の実施の形態に係るＯＦＤＭＡ方式を基盤とする無線通信システムにおいて端末当たりの複数のファーストフィードバックチャネルを運用する場合、ファーストフィードバックチャネルの効率的な割り当て及び解約のための端末の動作方法を示すフローチャートである。
【図８Ｂ】本発明の第３の実施の形態に係るＯＦＤＭＡ方式を基盤とする無線通信システムにおいて端末当たりの複数のファーストフィードバックチャネルを運用する場合、ファーストフィードバックチャネルの効率的な割り当て及び解約のための端末の動作方法を示すフローチャートである。
【発明を実施するための形態】
【００２０】
以下、添付された図面を参照して本発明の動作原理を詳細に説明する。そして、本発明を説明するに当たって、関連した公知の機能又は構成についての具体的な説明が本発明の要旨を不明確にする恐れがあると判断される場合には、その詳細な説明を省略する。そして、後述する用語は、本発明での機能を考慮して定義された用語であり、これは、ユーザ、操作者の意図又は慣例などによって変わりうる。したがって、その定義は、本明細書全般にわたる内容に基づいて行わなければならない。
【００２１】
以下、本発明では、ＯＦＤＭＡ方式を基盤とする無線通信システムにおいて端末当たりの複数のファーストフィードバックチャネルを運用する場合、ファーストフィードバックチャネルを效率的に割り当て及び解約するための方案を提示する。ここで、前記無線通信システムは、ＩＥＥＥ  ８０２．１６ｍ無線通信システムを例に挙げて説明するが、端末当たりの複数のファーストフィードバックチャネルを運用するすべてのシステムに適用可能であることはもちろんである。
【００２２】
特に、ファーストフィードバックチャネルの効率的な割り当て及び解約のために、本発明では、Ｆｅｅｄｂａｃｋ  Ａｌｌｏｃａｔｉｏｎ  Ａ−ＭＡＰ  ＩＥ内に解約が要求される既存ファーストフィードバックチャネルに対する情報をビットマップ形式で含めるための方案を提示する。現在、ファーストフィードバックチャネル割り当て方式では、各割り当てを指し示す固有のインデックスがないから、これを通知するためには、付加的なインデックス割り当てなどが考慮されなければならない。このような問題を解決するために、本発明では、既にファーストフィードバックチャネル割り当てに使用されているＭＦＭフィールドを利用することを提案する。端末に割り当てられるファーストフィードバックチャネルは、それぞれ異なるＭＦＭを有するようになり、したがってＭＦＭフィールドを利用すると、ファーストフィードバックチャネルを区分できる。仮に、同一ＭＦＭを有する複数のファーストフィードバックチャネルが存在するとしても、本発明では、同一ＭＦＭに対した解約は同時になされると仮定する。このように、ＭＦＭとファーストフィードバックチャネル区分の連繋性を使用すると、ファーストフィードバックチャネルを区分するための付加的なインデックス割り当てなどが考慮されなくても良いという長所がある。
【００２３】
現在ＩＥＥＥ  ８０２．１６ｍ無線通信システムでは、８個のＭＦＭが存在するのでは、８ビットのビットマップを使用することができる。仮に、端末当たりの割り当て可能なファーストフィードバックチャネルの数が８個以下に制限されると、最大許容可能なチャネル個数の大きさを有するビットマップを代わりに使用することができる。この場合、現在割り当てられたファーストフィードバックチャネルのＭＦＭ順序とビットマップ内での位置とを接続させることができる。例えば、許容可能な最大チャネルの数が３で、現在端末がＭＦＭ０、ＭＦＭ５、ＭＦＭ３に対する３個のファーストフィードバックチャネルを順に割り当てられて運用している場合、解約を知らせるビットマップは、３ビットの長さを有することができ、前記ビットマップの第１番目のビットは、ＭＦＭ０に対したファーストフィードバックチャネルを、第２番目のビットは、ＭＦＭ３に対したファーストフィードバックチャネルを、最後の第３番目のビットは、ＭＦＭ５に対したファーストフィードバックチャネルを意味できる。この場合、基地局がＭＦＭ３に対したファーストフィードバックチャネルの解約と残りのチャネルの維持を望むと、前記ビットマップを０ｂ０１０に設定して、これを端末に指示できる。ここで、ファーストフィードバックチャネルのＭＦＭ順序とビットマップ内での位置に対する接続方法は、逆順になりえ、このための他の接続方法をも考慮することができる。仮に、ファーストフィードバックチャネルに対する固有のインデックスが許容されると、インデックスとビットマップとの間の接続も同じ方法で適用できる。
【００２４】
このようにＦｅｅｄｂａｃｋ  Ａｌｌｏｃａｔｉｏｎ  Ａ−ＭＡＰ  ＩＥ内に解約が要求される既存ファーストフィードバックチャネルに対する情報をビットマップ形式で含めることによって、複数のファーストフィードバックチャネルに対して望む解約を端末に指示できる。一つの実施の形態として、このためのＦｅｅｄｂａｃｋ  Ａｌｌｏｃａｔｉｏｎ  Ａ−ＭＡＰ  ＩＥが下記の表１〜表３のフォーマットのように構成されることができる。下記の表１〜表３は、８個のファーストフィードバックチャネルを解約できる例である。
【表１】
2011139470.tif 000003
【表２】
2011139470.tif 000004
【表３】
2011139470.tif 000005
【００２５】
ここで、前記表１〜表３のＦｅｅｄｂａｃｋ  Ａｌｌｏｃａｔｉｏｎ  Ａ−ＭＡＰ  ＩＥ内のＡ−ＭＡＰ  ＩＥ  Ｔｙｐｅフィールドは、Ａ−ＭＡＰ  ＩＥのタイプを表すもので、本発明では、Ｆｅｅｄｂａｃｋ  Ａｌｌｏｃａｔｉｏｎ  Ａ−ＭＡＰ  ＩＥを指示するために、０ｂ００１０に設定される。Ｃｈａｎｎｅｌ  Ｉｎｄｅｘフィールドは、アップリンク制御信号区間のうち、使用される資源に対するインデックスを表す。Ｓｈｏｒｔ−ｔｅｒｍ  Ｆｅｅｄｂａｃｋ  ｐｅｒｉｏｄ（ｐ）フィールドは、Ｓｈｏｒｔ−ｔｅｒｍ  フィードバックが送信される周期情報を表すもので、Ｓｈｏｒｔ−ｔｅｒｍ  Ｆｅｅｄｂａｃｋは、２ｐフレーム毎に送信される。Ｌｏｎｇ−ｔｅｒｍ  Ｆｅｅｄｂａｃｋ  ｐｅｒｉｏｄ（ｑ）フィールドは、Ｌｏｎｇ−ｔｅｒｍフィードバックが送信される周期情報を表すもので、Ｌｏｎｇ−ｔｅｒｍフィードバックは、２ｑ  Ｓｈｏｒｔ−ｔｅｒｍフィードバック送信区間毎に送信される。Ｆｒａｍｅ  ｏｆｆｓｅｔフィールドは、Ｆｅｅｄｂａｃｋ  Ａｌｌｏｃａｔｉｏｎ  Ａ−ＭＡＰ  ＩＥを受信した後、ファーストフィードバックの送信を始めるオフセット（ｏｆｆｓｅｔ）情報を表す。Ｓｕｂｆｒａｍｅ  ｉｎｄｅｘフィールドは、フレーム内でファーストフィードバックチャネルが占めるサブフレーム情報を表す。Ａｌｌｏｃａｔｉｏｎ  ｄｕｒａｔｉｏｎ（ｄ）フィールドは、ファーストフィードバックが送信される区間情報を表すもので、ファーストフィードバックは、８×２ｄフレーム区間の間に持続的に送信される。仮に、ｄ＝０ｂ０００であると、これは、ファーストフィードバックチャネルの解約を意味し、ｄ＝０ｂ１１１であると、これは、基地局が解約指示を送信するまでファーストフィードバックチャネルの割り当て維持を意味する。ＡＣＫ  Ａｌｌｏｃａｔｉｏｎ  Ｆｌａｇフィールドは、ファーストフィードバックチャネルを解約する場合、ＨＡＲＱフィードバックチャネルの使用有無を表し、ＨＦＡフィールドは、ＡＣＫ  Ａｌｌｏｃａｔｉｏｎ  Ｆｌａｇフィールドがアクティブになった場合、割り当てられるＨＡＲＱフィードバックチャネルを指示する。ＭＦＭ  ｄｅａｌｌｏｃａｔｉｏｎ  ｂｉｔｍａｐフィールドは、解約しなければならない既存ファーストフィードバックチャネルに該当するＭＦＭを指示する。ＭＦＭフィールドは、ＭＩＭＯ（Ｍｕｌｔｉｐｌｅ  Ｉｎｐｕｔ  Ｍｕｌｔｉｐｌｅ  Ｏｕｔｐｕｔ）フィードバックモードを表し、ＭａｘＭｔフィールドは、ＳＵ（Ｓｉｎｇｌｅ  Ｕｓｅｒ）−ＭＩＭＯで端末がフィードバックできる最大ＳＴＣ（Ｓｐａｃｅ−Ｔｉｍｅ  Ｃｏｄｅｓ）送信率（ｒａｔｅ）、ＭＵ（Ｍｕｌｔｉ  Ｕｓｅｒ）−ＭＩＭＯで同じ資源を共有する最大ユーザ数を意味する。Ｆｅｅｄｂａｃｋ  Ｆｏｒｍａｔフィールドは、ＭＦＭ２,３,５,６で細部的なフィードバック形式を指示する。ＦＰＩフィールドは、Ｓｈｏｒｔ−ｔｅｒｍファーストフィードバックチャネルが広帯域（ｗｉｄｅｂａｎｄ）ＣＱＩ（Ｃｈａｎｎｅｌ  Ｑｕａｌｉｔｙ  Ｉｎｄｉｃａｔｏｒ）を測定し送信しなければならない周波数領域（ｆｒｅｑｕｅｎｃｙ  ｐａｒｔｉｔｉｏｎ）情報を表す。Ｌｏｎｇ−ｔｅｒｍ  ＦＰＩフィールドは、Ｌｏｎｇ−ｔｅｒｍファー��トフィードバックチャネルが広帯域ＣＱＩを測定し送信しなければならない周波数領域（ｆｒｅｑｕｅｎｃｙ  ｐａｒｔｉｔｉｏｎ）情報を表す。ＣＭフィールドは、端末が送信しなければならないコードブック（ｃｏｄｅｂｏｏｋ）モードを表し、ＣＳフィールドは、端末が送信しなければならないコードブックの種類を表す。Ｍｅａｓｕｒｅｍｅｎｔ  Ｍｅｔｈｏｄ  Ｉｎｄｉｃａｔｉｏｎフィールドは、端末がＣＱＩを測定しなければならない信号を表す。
【００２６】
このような前記表１〜表３のＦｅｅｄｂａｃｋ  Ａｌｌｏｃａｔｉｏｎ  Ａ−ＭＡＰ  ＩＥを利用する場合、既存に割り当てられたファーストフィードバックチャネルの解約を指示するために、Ａｌｌｏｃａｔｉｏｎ  ｄｕｒａｔｉｏｎ（ｄ）フィールドを０ｂ０００に設定し、追加的にＭＦＭ  ｄｅａｌｌｏｃａｔｉｏｎ  ｂｉｔｍａｐフィールドを設定できる。このように設定することによって、基地局は、複数のファーストフィードバックチャネルを同時に制御できる。また、前記表１〜表３のＦｅｅｄｂａｃｋ  Ａｌｌｏｃａｔｉｏｎ  Ａ−ＭＡＰ  ＩＥを利用する場合、新しいファーストフィードバックチャネルの割り当てを指示するために、Ａｌｌｏｃａｔｉｏｎ  ｄｕｒａｔｉｏｎ（ｄ）フィールドを０ｂ０００ではない値に設定し、追加的にチャネル割り当てと関連したフィールドを設定できる。このように、前記表１〜表３のＦｅｅｄｂａｃｋ  Ａｌｌｏｃａｔｉｏｎ  Ａ−ＭＡＰ  ＩＥを利用する場合、新しいファーストフィードバックチャネルの割り当てあるいは既存の複数のファーストフィードバックチャネルの解約のうちの何れか一つを制御できる。したがって、新しいファーストフィードバックチャネルを割り当てると同時に、既存の複数のファーストフィードバックチャネルを解約するためには、最小限２個のＦｅｅｄｂａｃｋ  Ａｌｌｏｃａｔｉｏｎ  Ａ−ＭＡＰ  ＩＥの送信が必要である。
【００２７】
他の実施の形態として、一つのＦｅｅｄｂａｃｋ  Ａｌｌｏｃａｔｉｏｎ  Ａ−ＭＡＰ  ＩＥの送信により、新しいファーストフィードバックチャネルの割り当てと同時に、既存の複数のファーストフィードバックチャネルの解約の両方を制御できるように、Ｆｅｅｄｂａｃｋ  Ａｌｌｏｃａｔｉｏｎ  Ａ−ＭＡＰ  ＩＥを構成することができる。この場合、Ｆｅｅｄｂａｃｋ  Ａｌｌｏｃａｔｉｏｎ  Ａ−ＭＡＰ  ＩＥは、下記の表４〜表６のフォーマットのように構成されることができる。下記の表４〜表６は、端末当たりの二つのファーストフィードバックチャネルが許される場合、ファーストフィードバックチャネルを解約できる例であり、これにより、ＭＦＭ  ｄｅａｌｌｏｃａｔｉｏｎ  ｂｉｔｍａｐの大きさが２ビットになる。
【００２８】
【表４】
2011139470.tif 000006
【表５】
2011139470.tif 000007
【表６】
2011139470.tif 000008
【００２９】
ここで、前記表４〜表６のＦｅｅｄｂａｃｋ  Ａｌｌｏｃａｔｉｏｎ  Ａ−ＭＡＰ  ＩＥ内の各フィールドが指示することは、前記表１〜表３内の対応する各フィールドと同一であり、前記表４〜表６の場合、Ｆｅｅｄｂａｃｋ  Ａｌｌｏｃａｔｉｏｎ  Ａ−ＭＡＰ  ＩＥ内にＭＦＭ  ｄｅａｌｌｏｃａｔｉｏｎ  ｂｉｔｍａｐフィールドが常に含まれる。このような前記表４〜表６のＦｅｅｄｂａｃｋ  Ａｌｌｏｃａｔｉｏｎ  Ａ−ＭＡＰ  ＩＥを利用すると、新しいファーストフィードバックチャネルの割り当てを知らせるＦｅｅｄｂａｃｋ  Ａｌｌｏｃａｔｉｏｎ  Ａ−ＭＡＰ  ＩＥ内でもＭＦＭ  ｄｅａｌｌｏｃａｔｉｏｎ  ｂｉｔｍａｐフィールドを利用して、既に割り当てられているファーストフィードバックチャネルのうち、基地局が望むチャネルを解約できる。
【００３０】
図１は、本発明に係るＯＦＤＭＡ方式を基盤とする無線通信システムにおける基地局の装置構成を示すブロック図である。
【００３１】
図１に示すように、基地局は、スケジューラ１００、Ｆｅｅｄｂａｃｋ  Ａｌｌｏｃａｔｉｏｎ  Ａ−ＭＡＰメッセージ生成器１０２、チャネル符号化器１０４、変調器１０６、資源マッパー１０８、ＯＦＤＭ変調器１１０及びＲＦ（Ｒａｄｉｏ  Ｆｒｅｑｕｅｎｃｙ）送信機１１２を備えて構成される。
【００３２】
前記図１に示すように、まずスケジューラ１００は、端末別に既存に割り当てられたファーストフィードバックチャネルの解約と新しいファーストフィードバックチャネルの割り当てをスケジューリングし、スケジューリング結果をＦｅｅｄｂａｃｋ  Ａｌｌｏｃａｔｉｏｎ  Ａ−ＭＡＰメッセージ生成器１０２に出力する。
【００３３】
前記Ｆｅｅｄｂａｃｋ  Ａｌｌｏｃａｔｉｏｎ  Ａ−ＭＡＰメッセージ生成器１０２は、前記スケジューラ１００からのスケジューリング結果を利用してＦｅｅｄｂａｃｋ  Ａｌｌｏｃａｔｉｏｎ  Ａ−ＭＡＰメッセージを生成し、前記生成されたＦｅｅｄｂａｃｋ  Ａｌｌｏｃａｔｉｏｎ  Ａ−ＭＡＰメッセージをチャネル符号化器１０４に出力する。特に、前記Ｆｅｅｄｂａｃｋ  Ａｌｌｏｃａｔｉｏｎ  Ａ−ＭＡＰメッセージ生成器１０２は、Ｆｅｅｄｂａｃｋ  Ａｌｌｏｃａｔｉｏｎ  Ａ−ＭＡＰ  ＩＥ内に解約が要求される既存ファーストフィードバックチャネルに対する情報をビットマップ形式で含めることによって、複数のファーストフィードバックチャネルに対して望む解約を端末に指示する。このために、前記Ｆｅｅｄｂａｃｋ  Ａｌｌｏｃａｔｉｏｎ  Ａ−ＭＡＰメッセージ生成器１０２は、解約しようとする一つ以上のファーストフィードバックチャネルのＭＦＭを確認し、Ｆｅｅｄｂａｃｋ  Ａｌｌｏｃａｔｉｏｎ  Ａ−ＭＡＰ  ＩＥ内のＭＦＭ  ｄｅａｌｌｏｃａｔｉｏｎ  ｂｉｔｍａｐフィールドにおいて前記確認されたＭＦＭに対応するビットをアクティブにする。
【００３４】
前記チャネル符号化器１０４は、前記Ｆｅｅｄｂａｃｋ  Ａｌｌｏｃａｔｉｏｎ  Ａ−ＭＡＰメッセージ生成器１０２からの情報ビット列を符号化して符号シンボルを生成し、前記生成された符号シンボルを変調器１０６に出力する。
【００３５】
前記変調器１０６は、前記チャネル符号化器１０４からの符号シンボルを所定の変調方式で変調して変調シンボルを生成し、前記生成された変調シンボルを資源マッパー１０８に出力する。
【００３６】
前記資源マッパー１０８は、前記変調器１０６からのデータを予め決まった資源にマッピングして、ＯＦＤＭ変調器１１０に出力する。
【００３７】
前記ＯＦＤＭ変調器１１０は、前記資源マッパー１０８からの資源マッピングされたデータをＯＦＤＭ変調してＯＦＤＭシンボルを生成し、前記生成されたＯＦＤＭシンボルをＲＦ送信機１１２に出力する。ここで、前記ＯＦＤＭ変調は、ＩＦＦＴ（Ｉｎｖｅｒｓｅ  Ｆａｓｔ  Ｆｏｕｒｉｅｒ  Ｔｒａｎｓｆｏｒｍ）演算、ＣＰ（Ｃｙｃｌｉｃ  Ｐｒｅｆｉｘ）挿入などを含む意味である。
【００３８】
前記ＲＦ送信機１１２は、前記ＯＦＤＭ変調器１１０からのベースバンド信号をＲＦ信号に変換して、アンテナを介して送信する。
【００３９】
図２は、本発明に係るＯＦＤＭＡ方式を基盤とする無線通信システムにおける端末の装置構成を示すブロック図である。
【００４０】
図２に示すように、端末は、ＲＦ受信機２００、ＯＦＤＭ復調器２０２、資源デマッパー２０４、復調器２０６、チャネル復号化器２０８、Ｆｅｅｄｂａｃｋ  Ａｌｌｏｃａｔｉｏｎ  Ａ−ＭＡＰメッセージ処理器２１０を備えて構成される。
【００４１】
前記図２に示すように、前記ＲＦ受信機２００は、アンテナを介して受信されるＲＦ信号をベースバンド信号に変換して、ＯＦＤＭ復調器２０２に出力する。
【００４２】
前記ＯＦＤＭ復調器２０２は、前記ＲＦ受信機２００からのベースバンド信号をＯＦＤＭ復調して、周波数領域の信号を復元する。ここで、前記ＯＦＤＭ復調は、ＣＰ（Ｃｙｃｌｉｃ  Ｐｒｅｆｉｘ）除去、ＦＦＴ（Ｆａｓｔ  Ｆｏｕｒｉｅｒ  Ｔｒａｎｓｆｏｒｍ）演算などを含む意味である。
【００４３】
前記資源デマッパー２０４は、前記ＯＦＤＭ復調器２０２からの周波数領域信号を資源デマッピングして、複素シンボルを取り出す。
【００４４】
前記復調器２０６は、前記資源デマッパー２０４からの複素シンボルを復調する。
前記チャネル復号化器２０８は、前記復調器２０６からのシンボルを復号化して、情報ビット列を復元する。
【００４５】
前記Ｆｅｅｄｂａｃｋ  Ａｌｌｏｃａｔｉｏｎ  Ａ−ＭＡＰメッセージ処理器２１０は、前記チャネル復号化器２０８からのＦｅｅｄｂａｃｋ  Ａｌｌｏｃａｔｉｏｎ  Ａ−ＭＡＰメッセージを処理する。特に、前記Ｆｅｅｄｂａｃｋ  Ａｌｌｏｃａｔｉｏｎ  Ａ−ＭＡＰメッセージ処理器２１０は、Ｆｅｅｄｂａｃｋ  Ａｌｌｏｃａｔｉｏｎ  Ａ−ＭＡＰ  ＩＥ内でビットマップ形式で含まれている、解約が要求される既存ファーストフィードバックチャネルに対する情報を確認し、これにより確認されたファーストフィードバックチャネルを解約する。このために、前記Ｆｅｅｄｂａｃｋ  Ａｌｌｏｃａｔｉｏｎ  Ａ−ＭＡＰメッセージ処理器２１０は、Ｆｅｅｄｂａｃｋ  Ａｌｌｏｃａｔｉｏｎ  Ａ−ＭＡＰ  ＩＥ内のＭＦＭ  ｄｅａｌｌｏｃａｔｉｏｎ  ｂｉｔｍａｐフィールドにおいてアクティブになっているビットを確認し、これにより確認されたビットに対応するＭＦＭを確認した後、前記確認されたＭＦＭに対応するファーストフィードバックチャネルを解約しなければならないファーストフィードバックチャネルと判断し、これにより解約が要求される既存ファーストフィードバックチャネルを解約する。
【００４６】
図３は、本発明の第１の実施の形態に係るＯＦＤＭＡ方式を基盤とする無線通信システムにおいて、端末当たりの複数のファーストフィードバックチャネルを運用する場合、ファーストフィードバックチャネルの効率的な割り当て及び解約のための基地局の動作方法を示すフローチャートである。ここで、第１の実施の形態は、前記表１〜表３のＦｅｅｄｂａｃｋ  Ａｌｌｏｃａｔｉｏｎ  Ａ−ＭＡＰ  ＩＥを利用して、ファーストフィードバックチャネルを運用する方案に関する。
【００４７】
前記図３に示すように、基地局は、ステップ３０１にて端末に対して既存に割り当てられたファーストフィードバックチャネルの解約と新しいファーストフィードバックチャネルの割り当てのうち、どれが要求されるかを検査する。
【００４８】
前記ステップ３０１にて、既存に割り当てられたファーストフィードバックチャネルの解約が要求されると判断される場合、前記基地局は、ステップ３０３にて解約しようとする一つ以上のファーストフィードバックチャネルのＭＦＭを確認する。
【００４９】
以後、前記基地局は、ステップ３０５に進んでＦｅｅｄｂａｃｋ  Ａｌｌｏｃａｔｉｏｎ  Ａ−ＭＡＰ  ＩＥ内のＭＦＭ  ｄｅａｌｌｏｃａｔｉｏｎ  ｂｉｔｍａｐフィールドにおいて前記確認されたＭＦＭに対応するビットをアクティブにする。これにより、既存に割り当てられたファーストフィードバックチャネルのうち、解約を望む一つ以上のファーストフィードバックチャネルを区分できる。
【００５０】
以後、前記基地局は、ステップ３０７にてＦｅｅｄｂａｃｋ  Ａｌｌｏｃａｔｉｏｎ  Ａ−ＭＡＰ  ＩＥ内のＡｌｌｏｃａｔｉｏｎ  ｄｕｒａｔｉｏｎフィールドを０ｂ０００に設定する。これにより、Ｆｅｅｄｂａｃｋ  Ａｌｌｏｃａｔｉｏｎ  Ａ−ＭＡＰ  ＩＥが既存に割り当てられたファーストフィードバックチャネルの解約のためのメッセージであることを端末に知らせることができる。
【００５１】
以後、前記基地局は、ステップ３０９にてファーストフィードバックチャネルの解約に対する確認手順が要求されるか否かを検査する。
【００５２】
前記ステップ３０９にて、ファーストフィードバックチャネルの解約に対する確認手順が要求されると判断される場合、前記基地局は、ステップ３１１にてＦｅｅｄｂａｃｋ  Ａｌｌｏｃａｔｉｏｎ  Ａ−ＭＡＰ  ＩＥ内のＡＣＫ  Ａｌｌｏｃａｔｉｏｎ  Ｆｌａｇフィールドをアクティブにし、ＨＦＡフィールドを介してＨＡＲＱフィードバックチャネルを割り当てる。
【００５３】
以後、前記基地局は、ステップ３１３にて上記のように構成されたＦｅｅｄｂａｃｋ  Ａｌｌｏｃａｔｉｏｎ  Ａ−ＭＡＰ  ＩＥを端末に送信する。
【００５４】
以後、前記基地局は、ステップ３１５にて端末から前記割り当てられたＨＡＲＱフィードバックチャネルを介してＡＣＫが受信されるか否かを検査する。
【００５５】
前記ステップ３１５にて、前記端末からＡＣＫが受信されると判断される場合、前記基地局は、本発明に係るアルゴリズムを終了する。
【００５６】
反面、前記ステップ３１５にて、前記端末から予め決まった時間内にＡＣＫが受信されないと判断される場合、前記基地局は、前記ステップ３１３に戻って、以下のステップを繰り返し行う。
【００５７】
反面、前記ステップ３０９にて、ファーストフィードバックチャネルの解約に対する確認手順が要求されないと判断される場合、前記基地局は、ステップ３１７にて上記のように構成されたＦｅｅｄｂａｃｋ  Ａｌｌｏｃａｔｉｏｎ  Ａ−ＭＡＰ  ＩＥを端末に送信した後、本発明に係るアルゴリズムを終了する。
【００５８】
反面、前記ステップ３０１にて、新しいファーストフィードバックチャネルの割り当てが要求されると判断される場合、前記基地局は、ステップ３１９にて通常の機能を行って割り当てようとするファーストフィードバックチャネルに対するＦｅｅｄｂａｃｋ  Ａｌｌｏｃａｔｉｏｎ  Ａ−ＭＡＰ  ＩＥを構成する。ここで、前記Ｆｅｅｄｂａｃｋ  Ａｌｌｏｃａｔｉｏｎ  Ａ−ＭＡＰ  ＩＥ内のＡｌｌｏｃａｔｉｏｎ  ｄｕｒａｔｉｏｎフィールドは、０ｂ０００でない値に設定される。以後、前記基地局は、ステップ３２１にてこのように構成されたＦｅｅｄｂａｃｋ  Ａｌｌｏｃａｔｉｏｎ  Ａ−ＭＡＰ  ＩＥを端末に送信した後、本発明に係るアルゴリズムを終了する。
【００５９】
図４は、本発明の第１の実施の形態に係るＯＦＤＭＡ方式を基盤とする無線通信システムにおいて端末当たりの複数のファーストフィードバックチャネルを運用する場合、ファーストフィードバックチャネルの効率的な割り当て及び解約のための端末の動作方法を示すフローチャートである。ここで、第１の実施の形態は、前記表１〜表３のＦｅｅｄｂａｃｋ  Ａｌｌｏｃａｔｉｏｎ  Ａ−ＭＡＰ  ＩＥを利用して、ファーストフィードバックチャネルを運用する方案に関する。
【００６０】
前記図４に示すように、端末は、ステップ４０１にて基地局からＦｅｅｄｂａｃｋ  Ａｌｌｏｃａｔｉｏｎ  Ａ−ＭＡＰ  ＩＥを受信する。
【００６１】
以後、前記端末は、ステップ４０３にて前記受信されたＦｅｅｄｂａｃｋ  Ａｌｌｏｃａｔｉｏｎ  Ａ−ＭＡＰ  ＩＥ内のＡｌｌｏｃａｔｉｏｎ  ｄｕｒａｔｉｏｎフィールドを確認して、０ｂ０００に設定されているか否かを検査する。すなわち、前記受信されたＦｅｅｄｂａｃｋ  Ａｌｌｏｃａｔｉｏｎ  Ａ−ＭＡＰ  ＩＥが既存に割り当てられたファーストフィードバックチャネルの解約のためのメッセージであるか否かを検査する。
【００６２】
前記ステップ４０３にて前記受信されたＦｅｅｄｂａｃｋ  Ａｌｌｏｃａｔｉｏｎ  Ａ−ＭＡＰ  ＩＥ内のＡｌｌｏｃａｔｉｏｎ  ｄｕｒａｔｉｏｎフィールドが０ｂ０００に設定されていると判断される場合、前記端末は、ステップ４０５にて前記受信されたＦｅｅｄｂａｃｋ  Ａｌｌｏｃａｔｉｏｎ  Ａ−ＭＡＰ  ＩＥ内のＭＦＭ  ｄｅａｌｌｏｃａｔｉｏｎ  ｂｉｔｍａｐフィールドを確認して、解約しなければならないＭＦＭ及びこれに対応するファーストフィードバックチャネルを確認する。ここで、前記端末は、ＭＦＭ  ｄｅａｌｌｏｃａｔｉｏｎ  ｂｉｔｍａｐフィールドにおいてアクティブになっているビットを確認し、確認されたビットに対応するＭＦＭを確認した後、前記確認されたＭＦＭに対応するファーストフィードバックチャネルを解約しなければならないファーストフィードバックチャネルと判断できる。
【００６３】
以後、前記端末は、ステップ４０７にて前記確認されたファーストフィードバックチャネルを解約する。
【００６４】
以後、前記端末は、ステップ４０９にてＦｅｅｄｂａｃｋ  Ａｌｌｏｃａｔｉｏｎ  Ａ−ＭＡＰ  ＩＥ内のＡＣＫ  Ａｌｌｏｃａｔｉｏｎ  Ｆｌａｇフィールドがアクティブになっており、ＨＦＡフィールドを介してＨＡＲＱフィードバックチャネルが割り当てられているか否かを検査する。
【００６５】
前記ステップ４０９にて、Ｆｅｅｄｂａｃｋ  Ａｌｌｏｃａｔｉｏｎ  Ａ−ＭＡＰ  ＩＥ内のＡＣＫ  Ａｌｌｏｃａｔｉｏｎ  Ｆｌａｇフィールドがアクティブになっており、ＨＦＡフィールドを介してＨＡＲＱフィードバックチャネルが割り当てられていると判断される場合、前記端末は、ステップ４１１に進んで前記割り当てられたＨＡＲＱフィードバックチャネルを介して基地局にＡＣＫを送信した後、本発明に係るアルゴリズムを終了する。
【００６６】
これに対し、前記ステップ４０９にて、Ｆｅｅｄｂａｃｋ  Ａｌｌｏｃａｔｉｏｎ  Ａ−ＭＡＰ  ＩＥ内のＡＣＫ  Ａｌｌｏｃａｔｉｏｎ  Ｆｌａｇフィールドがアクティブになっていないと判断される場合、前記端末は、本発明に係るアルゴリズムを終了する。
【００６７】
反面、前記ステップ４０３にて前記受信されたＦｅｅｄｂａｃｋ  Ａｌｌｏｃａｔｉｏｎ  Ａ−ＭＡＰ  ＩＥ内のＡｌｌｏｃａｔｉｏｎ  ｄｕｒａｔｉｏｎフィールドが０ｂ０００に設定されていないと判断される場合、前記端末は、前記受信されたＦｅｅｄｂａｃｋ  Ａｌｌｏｃａｔｉｏｎ  Ａ−ＭＡＰ  ＩＥが新しいファーストフィードバックチャネルに対する割り当てのためのメッセージであると判断して、ステップ４１３にて通常の機能を行って前記受信されたＦｅｅｄｂａｃｋ  Ａｌｌｏｃａｔｉｏｎ  Ａ−ＭＡＰ  ＩＥを介して新しいファーストフィードバックチャネルに対する割り当て情報を確認した後、確認された割り当て情報に従ってファーストフィードバックを構成して基地局に送信する。
【００６８】
以後、前記端末は、本発明に係るアルゴリズムを終了する。
図５Ａと図５Ｂは、本発明の第２の実施の形態に係るＯＦＤＭＡ方式を基盤とする無線通信システムにおいて端末当たりの複数のファーストフィードバックチャネルを運用する場合、ファーストフィードバックチャネルの効率的な割り当て及び解約のための基地局の動作方法を示すフローチャートである。ここで、第２の実施の形態は、前記表４〜表６のＦｅｅｄｂａｃｋ  Ａｌｌｏｃａｔｉｏｎ  Ａ−ＭＡＰ  ＩＥを利用してファーストフィードバックチャネルを運用する方案に関するものである。
【００６９】
前記図５Ａと図５Ｂを参照すれば、基地局は、ステップ５０１にて端末に対して既存に割り当てられたファーストフィードバックチャネルの解約と新しいファーストフィードバックチャネルの割り当てが同時に要求されるか否かを検査する。
【００７０】
前記ステップ５０１にて、既存に割り当てられたファーストフィードバックチャネルの解約と新しいファーストフィードバックチャネルの割り当てが同時に要求されると判断される場合、前記基地局は、ステップ５０３にて通常の機能を行って割り当てようとするファーストフィードバックチャネルに対するＦｅｅｄｂａｃｋ  Ａｌｌｏｃａｔｉｏｎ  Ａ−ＭＡＰ  ＩＥを構成する。ここで、前記Ｆｅｅｄｂａｃｋ  Ａｌｌｏｃａｔｉｏｎ  Ａ−ＭＡＰ  ＩＥ内のＡｌｌｏｃａｔｉｏｎ  ｄｕｒａｔｉｏｎフィールドは、０ｂ０００でない値に設定される。
【００７１】
以後、前記基地局は、ステップ５０５にて解約しようとする一つ以上のファーストフィードバックチャネルのＭＦＭを確認する。
【００７２】
以後、前記基地局は、ステップ５０７に進んでＦｅｅｄｂａｃｋ  Ａｌｌｏｃａｔｉｏｎ  Ａ−ＭＡＰ  ＩＥ内のＭＦＭ  ｄｅａｌｌｏｃａｔｉｏｎ  ｂｉｔｍａｐフィールドにおいて前記確認されたＭＦＭに対応するビットをアクティブにする。これにより既存に割り当てられたファーストフィードバックチャネルのうち、解約を望む一つ以上のファーストフィードバックチャネルを区分できる。
【００７３】
以後、前記基地局は、ステップ５０９にてファーストフィードバックチャネルの解約に対する確認手順が要求されているか否かを検査する。
【００７４】
前記ステップ５０９にて、ファーストフィードバックチャネルの解約に対する確認手順が要求されると判断される場合、前記基地局は、ステップ５１１にてＦｅｅｄｂａｃｋ  Ａｌｌｏｃａｔｉｏｎ  Ａ−ＭＡＰ  ＩＥ内のＡＣＫ  Ａｌｌｏｃａｔｉｏｎ  Ｆｌａｇフィールドをアクティブにし、ＨＦＡフィールドを介してＨＡＲＱフィードバックチャネルを割り当てる。
【００７５】
以後、前記基地局は、ステップ５１３にて上記のように構成されたＦｅｅｄｂａｃｋ  Ａｌｌｏｃａｔｉｏｎ  Ａ−ＭＡＰ  ＩＥを端末に送信する。
【００７６】
以後、前記基地局は、ステップ５１５にて端末から前記割り当てられたＨＡＲＱフィードバックチャネルを介してＡＣＫが受信されているか否かを検査する。
【００７７】
前記ステップ５１５にて、前記端末からＡＣＫが受信されると判断される場合、前記基地局は、本発明に係るアルゴリズムを終了する。
【００７８】
反面、前記ステップ５１５にて、前記端末から予め決まった時間内にＡＣＫが受信されないと判断される場合、前記基地局は、前記ステップ５１３に戻って以下のステップを繰り返し行う。
【００７９】
反面、前記ステップ５０９にて、ファーストフィードバックチャネルの解約に対する確認手順が要求されないと判断される場合、前記基地局は、ステップ５２５にて上記のように構成されたＦｅｅｄｂａｃｋ  Ａｌｌｏｃａｔｉｏｎ  Ａ−ＭＡＰ  ＩＥを端末に送信した後、本発明に係るアルゴリズムを終了する。
【００８０】
反面、前記ステップ５０１にて、既存に割り当てられたファーストフィードバックチャネルの解約と新しいファーストフィードバックチャネルの割り当てが同時に要求されないと判断される場合、前記基地局は、ステップ５１７にて端末に対して既存に割り当てられたファーストフィードバックチャネルの解約と新しいファーストフィードバックチャネルの割り当てのうち、どれが要求されるかを検査する。
【００８１】
前記ステップ５１７にて、既存に割り当てられたファーストフィードバックチャネルの解約が要求されると判断される場合、前記基地局は、ステップ５１９にて解約しようとする一つ以上のファーストフィードバックチャネルのＭＦＭを確認する。
【００８２】
以後、前記基地局は、ステップ５２１に進んでＦｅｅｄｂａｃｋ  Ａｌｌｏｃａｔｉｏｎ  Ａ−ＭＡＰ  ＩＥ内のＭＦＭ  ｄｅａｌｌｏｃａｔｉｏｎ  ｂｉｔｍａｐフィールドにおいて前記確認されたＭＦＭに対応するビットをアクティブにする。
【００８３】
以後、前記基地局は、ステップ５２３にてＦｅｅｄｂａｃｋ  Ａｌｌｏｃａｔｉｏｎ  Ａ−ＭＡＰ  ＩＥ内のＡｌｌｏｃａｔｉｏｎ  ｄｕｒａｔｉｏｎフィールドを０ｂ０００に設定した後、前記ステップ５０９に進んで以下のステップを繰り返し行う。
【００８４】
反面、前記ステップ５１７にて、新しいファーストフィードバックチャネルの割り当てが要求されると判断される場合、前記基地局は、ステップ５２７にて通常の機能を行って割り当てようとするファーストフィードバックチャネルに対するＦｅｅｄｂａｃｋ  Ａｌｌｏｃａｔｉｏｎ  Ａ−ＭＡＰ  ＩＥを構成する。ここで、前記Ｆｅｅｄｂａｃｋ  Ａｌｌｏｃａｔｉｏｎ  Ａ−ＭＡＰ  ＩＥ内のＡｌｌｏｃａｔｉｏｎ  ｄｕｒａｔｉｏｎフィールドは、０ｂ０００でない値に設定される。以後、前記基地局は、ステップ５２９にてこのように構成されたＦｅｅｄｂａｃｋ  Ａｌｌｏｃａｔｉｏｎ  Ａ−ＭＡＰ  ＩＥを端末に送信した後、本発明に係るアルゴリズムを終了する。
【００８５】
図６は、本発明の第２の実施の形態に係るＯＦＤＭＡ方式を基盤とする無線通信システムにおいて端末当たりの複数のファーストフィードバックチャネルを運用する場合、ファーストフィードバックチャネルの効率的な割り当て及び解約のための端末の動作方法を示すフローチャートである。ここで、第２の実施の形態は、前記表４〜表６のＦｅｅｄｂａｃｋ  Ａｌｌｏｃａｔｉｏｎ  Ａ−ＭＡＰ  ＩＥを利用してファーストフィードバックチャネルを運用する方案に関するものである。
【００８６】
前記図６に示すように、端末は、ステップ６０１にて基地局からＦｅｅｄｂａｃｋ  Ａｌｌｏｃａｔｉｏｎ  Ａ−ＭＡＰ  ＩＥを受信する。
【００８７】
以後、前記端末は、ステップ６０３にて前記受信されたＦｅｅｄｂａｃｋ  Ａｌｌｏｃａｔｉｏｎ  Ａ−ＭＡＰ  ＩＥ内のＡｌｌｏｃａｔｉｏｎ  ｄｕｒａｔｉｏｎフィールドを確認して、０ｂ０００に設定されているか否かを検査する。
【００８８】
前記ステップ６０３にて前記受信されたＦｅｅｄｂａｃｋ  Ａｌｌｏｃａｔｉｏｎ  Ａ−ＭＡＰ  ＩＥ内のＡｌｌｏｃａｔｉｏｎ  ｄｕｒａｔｉｏｎフィールドが０ｂ０００に設定されていないと判断される場合、前記端末は、ステップ６０５にて通常の機能を行って、前記受信されたＦｅｅｄｂａｃｋ  Ａｌｌｏｃａｔｉｏｎ  Ａ−ＭＡＰ  ＩＥを介して新しいファーストフィードバックチャネルに対する割り当て情報を確認し、確認された割り当て情報に従ってファーストフィードバックを構成して基地局に送信した後、ステップ６０７に進む。
【００８９】
反面、前記ステップ６０３にて前記受信されたＦｅｅｄｂａｃｋ  Ａｌｌｏｃａｔｉｏｎ  Ａ−ＭＡＰ  ＩＥ内のＡｌｌｏｃａｔｉｏｎ  ｄｕｒａｔｉｏｎフィールドが０ｂ０００に設定されていると判断される場合、前記端末は、直にステップ６０７に進む。
【００９０】
以後、前記端末は、ステップ６０７にて前記受信されたＦｅｅｄｂａｃｋ  Ａｌｌｏｃａｔｉｏｎ  Ａ−ＭＡＰ  ＩＥ内のＭＦＭ  ｄｅａｌｌｏｃａｔｉｏｎ  ｂｉｔｍａｐフィールドを確認して解約しなければならないＭＦＭを確認し、前記確認されたＭＦＭに対応するファーストフィードバックチャネルを確認する。ここで、前記端末は、ＭＦＭ  ｄｅａｌｌｏｃａｔｉｏｎ  ｂｉｔｍａｐフィールドにおいてアクティブになっているビットを確認し、確認されたビットに対応するＭＦＭを確認した後、前記確認されたＭＦＭに対応するファーストフィードバックチャネルを解約しなければならないファーストフィードバックチャネルと判断できる。
【００９１】
以後、前記端末は、ステップ６０９にて解約しなければならないファーストフィードバックチャネルが存在しているか否かを検査する。
【００９２】
前記ステップ６０９にて、解約しなければならないファーストフィードバックチャネルが存在すると判断される場合、前記端末は、ステップ６１１にて前記確認されたファーストフィードバックチャネルを解約する。
【００９３】
以後、前記端末は、ステップ６１３にてＦｅｅｄｂａｃｋ  Ａｌｌｏｃａｔｉｏｎ  Ａ−ＭＡＰ  ＩＥ内のＡＣＫ  Ａｌｌｏｃａｔｉｏｎ  Ｆｌａｇフィールドがアクティブになっており、ＨＦＡフィールドを介してＨＡＲＱフィードバックチャネルが割り当てられているか否かを検査する。
【００９４】
前記ステップ６１３にて、Ｆｅｅｄｂａｃｋ  Ａｌｌｏｃａｔｉｏｎ  Ａ−ＭＡＰ  ＩＥ内のＡＣＫ  Ａｌｌｏｃａｔｉｏｎ  Ｆｌａｇフィールドがアクティブになっており、ＨＦＡフィールドを介してＨＡＲＱフィードバックチャネルが割り当てられていると判断される場合、前記端末は、ステップ６１５に進んで前記割り当てられたＨＡＲＱフィードバックチャネルを介して基地局にＡＣＫを送信した後、本発明に係るアルゴリズムを終了する。
【００９５】
反面、前記ステップ６１３にて、Ｆｅｅｄｂａｃｋ  Ａｌｌｏｃａｔｉｏｎ  Ａ−ＭＡＰ  ＩＥ内のＡＣＫ  Ａｌｌｏｃａｔｉｏｎ  Ｆｌａｇフィールドがアクティブになっていないと判断される場合、前記端末は、本発明に係るアルゴリズムを終了する。
【００９６】
反面、前記ステップ６０９にて、解約しなければならないファーストフィードバックチャネルが存在しないと判断される場合、前記端末は、本発明に係るアルゴリズムを終了する。
【００９７】
一方、本発明は、ファーストフィードバックチャネル以外のフィードバックチャネルであるＭＩＭＯ拡張ヘッダ（ｅｘｔｅｎｄｅｄ  ｈｅａｄｅｒ）又はＭＡＣ（Ｍｅｄｉａ  Ａｃｃｅｓｓ  Ｃｏｎｔｒｏｌ）制御メッセージにも同様に適用することができる。すなわち、フィードバック情報を送信するさらに他のフィードバックチャネルであるＭＩＭＯ拡張ヘッダとＭＡＣ制御メッセージを管理するＦｅｅｄｂａｃｋ  Ｐｏｌｌｉｎｇ  Ａ−ＭＡＰ  ＩＥに本発明を適用できる。Ｆｅｅｄｂａｃｋ  Ｐｏｌｌｉｎｇ  Ａ−ＭＡＰ  ＩＥは、端末が送信しなければならないｆｅｅｄｂａｃｋ内容の種類を指示すると同時に、これを送信できる資源割り当てに関連した情報をすべて知らせる方式を提供する。他の方式として、Ｆｅｅｄｂａｃｋ  Ｐｏｌｌｉｎｇ  Ａ−ＭＡＰ  ＩＥを介してフィードバック内容の種類のみを指示し、これを送信できる資源割り当てに関連した情報は、一般的な資源割り当て制御信号であるＵＬ  Ｂａｓｉｃ  Ａｓｓｉｇｎｍｅｎｔ  Ａ−ＭＡＰ  ＩＥ又はＵＬ  Ｓｕｂｂａｎｄ  Ａｓｓｉｇｎｍｅｎｔ  Ａ−ＭＡＰ  ＩＥを介して知らせる方式もまた存在する。多数のＦｅｅｄｂａｃｋ  Ｐｏｌｌｉｎｇ  Ａ−ＭＡＰ  ＩＥを介して多数のフィードバックチャネルを割り当てることができ、後に変更を介して一個のＦｅｅｄｂａｃｋ  Ｐｏｌｌｉｎｇ  Ａ−ＭＡＰ  ＩＥとして多数のフィードバックチャネルを割り当てることができると予想される。このように多数のフィードバックチャネルが存在する場合に対して、前記両方式とも複数のフィードバックチャネルに対する特定のインデクシング方法が存在しない。したがって、このような場合、本発明を適用することによって、基地局が望む特定のフィードバックチャネルを解約できる。すなわち、特定フィードバックチャネルが有するＭＦＭを利用することによって、該当フィードバックチャネルに対する解約を行うことができる。
【００９８】
現在ＩＥＥＥ  ８０２．１６ｍ無線通信システムでは、８個のＭＦＭが存在するので、８ビットのｐｏｌｌｉｎｇ＿ｄｅａｌｌｏｃａｔｉｏｎ＿ｂｉｔｍａｐを使用することによって、特定のＭＦＭのフィードバックチャネルの解約を指示できる。例えば、現在端末がＭＦＭ０〜ＭＦＭ７を運用する場合、ｐｏｌｌｉｎｇ＿ｄｅａｌｌｏｃａｔｉｏｎ＿ｂｉｔｍａｐが０ｂ１００１００００であると、ＭＦＭ０とＭＦＭ３に該当するフィードバックチャネルの解約を意味する。一方、Ｆｅｅｄｂａｃｋ  Ｐｏｌｌｉｎｇ  Ａ−ＭＡＰ  ＩＥは、ＭＦＭに該当するフィードバックチャネル以外に相関行列（ｃｏｒｒｅｌａｔｉｏｎ  ｍａｔｒｉｘ）のみを送信するフィードバックチャネルを割り当てることができる。この場合、前記相関行列のみを送信するフィードバックチャネルの解約を指示するために、Ｆｅｅｄｂａｃｋ  Ｐｏｌｌｉｎｇ  Ａ−ＭＡＰ  ＩＥ内のｐｏｌｌｉｎｇ＿ｄｅａｌｌｏｃａｔｉｏｎ＿ｂｉｔｍａｐを０ｂ００００００００と定義する方案を考慮できる。又は、下記の表７〜表１０のようにｐｏｌｌｉｎｇ＿ｄｅａｌｌｏｃａｔｉｏｎ＿ビットマップの大きさを９ビットに増加させて、最後のビット又は最初のビットとを相関行列のみを送信するフィードバックチャネルの解約ビットとして使用する方案を考慮することもできる。また、多重基地局（ｍｕｌｔｉ−ＢＳ）ＭＩＭＯに対するフィードバックチャネルを有している場合まで含むために、１０ビットのｐｏｌｌｉｎｇ＿ｄｅａｌｌｏｃａｔｉｏｎ＿ｂｉｔｍａｐを考慮することもできる。例えば、ｐｏｌｌｉｎｇ＿ｄｅａｌｌｏｃａｔｉｏｎ＿ｂｉｔｍａｐの第１番目のビットから第８番目のビットは、ＭＦＭ０からＭＦＭ７に対したファーストフィードバックチャネルを、第９番目のビットは、相関行列のみを送信するフィードバックチャネルを、第１０番目のビットは、ｍｕｌｔｉ−ＢＳ  ＭＩＭＯフィードバックチャネルを意味できる。
【００９９】
仮に、端末当たりの最大フィードバックチャネルの個数が特定の数Ｎ個に固定されると、ｐｏｌｌｉｎｇ＿ｄｅａｌｌｏｃａｔｉｏｎ＿ビットマップの大きさは、Ｎビットになることができる。この場合、前のＦｅｅｄｂａｃｋ  Ａｌｌｏｃａｔｉｏｎ  Ａ−ＭＡＰ  ＩＥの例の通り、最も低いＭＦＭがビットマップで最も最優先のビットに対応するような規則を定義することができる。Ｆｅｅｄｂａｃｋ  Ａｌｌｏｃａｔｉｏｎ  Ａ−ＭＡＰ  ＩＥの場合とは異なり、Ｆｅｅｄｂａｃｋ  Ｐｏｌｌｉｎｇ  Ａ−ＭＡＰ  ＩＥは、相関行列のみを送信するフィードバックチャネルが存在する場合を考慮しなければならないが、最大フィードバックチャネルの個数が制限されているので、相関行列のみを送信するフィードバックチャネルの解約を含むために、ビットマップの大きさが増加する必要はない。単純に、相関行列のみを送信するフィードバックチャネルの解約を表す位置を約束することで、現在割り当てられたファーストフィードバックチャネルのＭＦＭ順序とビットマップ内での位置とを接続させることによってこれを解決できる。例えば、許容可能な最大チャネルの数が４で、現在端末がＭＦＭ０とＭＦＭ２、そして相関行列の総３個のフィードバックチャネルを順に割り当てられて運用しているならば、解約を知らせるビットマップは、４ビットの長さを有することができ、前記ビットマップの第１番目のビットは、ＭＦＭ０に対したファーストフィードバックチャネルを、第２番目のビットは、ＭＦＭ２に対したファーストフィードバックチャネルを、第３番目のビットは、相関行列に対するファーストフィードバックチャネルを意味できる。ここで、基地局が解約しようとするフィードバックチャネルに該当するビットをアクティブにすることによって、端末に該当フィードバックチャネルの解約を指示できる。例えば、ＭＦＭ０と相関行列に対するフィードバックチャネルの解約を望むと、ｐｏｌｌｉｎｇ＿ｄｅａｌｌｏｃａｔｉｏｎ＿ｂｉｔｍａｐを０ｂ１０１０に設定することによって、これを指示できる。仮に、現在端末がＭＦＭ０、ＭＦＭ２、ＭＦＭ５、相関行列の総４個のフィードバックチャネルを順に割り当てられて運用していると、前記ビットマップの第１番目のビットは、ＭＦＭ０に対したファーストフィードバックチャネルを、第２番目のビットは、ＭＦＭ２に対したファーストフィードバックチャネルを、第３番目のビットは、ＭＦＭ５に対したファーストフィードバックチャネルを、最後の第４番目のビットは、相関行列に対するファーストフィードバックチャネルを意味することができ、上記と同じ方法で、基地局が解約しようとするフィードバックチャネルに該当するビットをアクティブにすることによって、端末に該当フィードバックチャネルの解約を指示できる。
【０１００】
ここで、前記Ｆｅｅｄｂａｃｋ  Ｐｏｌｌｉｎｇ  Ａ−ＭＡＰ  ＩＥは、下記表７〜表１０のフォーマットのように構成されることができる。下記表７〜表１０は、ＭＦＭと相関行列の総９個のファーストフィードバックチャネルに対する解約を指示できる例である。ここで、ｐｏｌｌｉｎｇ＿ｄｅａｌｌｏｃａｔｉｏｎ＿ｂｉｔｍａｐは、９ビットの大きさを有し、第１番目のビットから第８番目のビットは、ＭＦＭ０からＭＦＭ７に対したファーストフィードバックチャネルを、第９番目のビットは、相関行列のみを送信するフィードバックチャネルを意味する。
【０１０１】
【表７】
2011139470.tif 000009
【表８】
2011139470.tif 000010
【表９】
2011139470.tif 000011
【表１０】
2011139470.tif 000012
【０１０２】
ここで、前記表７〜表１０のＦｅｅｄｂａｃｋ  Ｐｏｌｌｉｎｇ  Ａ−ＭＡＰ  ＩＥ内のＡｌｌｏｃａｔｉｏｎ  ｄｕｒａｔｉｏｎ（ｄ）フィールドは、ファーストフィードバックチャネルが送信される区間情報を表すもので、ファーストフィードバックは、スーパフレーム区間の間に持続的に送信される。仮に、ｄ＝０ｂ０００であると、これは、ファーストフィードバックチャネルの解約を意味し、ｄ＝０ｂ１１１であると、これは、基地局が解約指示を送信するまでファーストフィードバックチャネルの割り当て維持を意味する。Ｄｅｄｉｃａｔｅｄ  ＵＬ  ａｌｌｏｃａｔｉｏｎフィールドは、専用資源に対する割り当て／解約を表すもので、本発明では、Ｆｅｅｄｂａｃｋ  Ｐｏｌｌｉｎｇ  Ａ−ＭＡＰ  ＩＥが既存に割り当てられた専用資源に対する解約であることを指示するために０ｂ０に設定され、新しい専用資源に対する割り当てであることを指示するために０ｂ１に設定される。Ｒｅｓｏｕｒｃｅ  Ｉｎｄｅｘフィールドは、解約しようとする専用資源に対するインデックスを指示する。ｐｏｌｌｉｎｇ  ｄｅａｌｌｏｃａｔｉｏｎ  ｂｉｔｍａｐフィールドは、解約しなければならない既存ファーストフィードバックチャネルに該当するＭＦＭと相関行列を指示する。ＨＦＡフィールドは、割り当てられるＨＡＲＱフィードバックチャネルを指示する。Ｒｅｓｏｕｒｃｅ  Ｉｎｄｅｘフィールドは、フィードバック情報を送信するアップリンク資源情報を表し、ＭＥＦ（ＭＩＭＯ  Ｅｎｃｏｄｉｎｇ  ｆｏｒｍａｔ）フィールドは、ＭＩＭＯエンコーディングフォーマットを表す。Ｐｅｒｉｏｄ（ｐ）フィールドは、フィードバックが送信される周期情報を表すもので、フィードバックは、４ｐフレーム毎に送信される。ＭＦＭ（ＭＩＭＯ  Ｆｅｅｄｂａｃｋ  Ｍｏｄｅ）フィールドは、ＭＩＭＯフィードバックモードを表す。ＭａｘＭｔフィールドは、ＳＵ−ＭＩＭＯで端末がフィードバックできる最大ＳＴＣ  ｒａｔｅ、ＭＵ−ＭＩＭＯで同じ資源を共有する最大ユーザ数を表し、Ｎｕｍ＿ｂｅｓｔ＿ｓｕｂｂａｎｄｓフィールドは、フィードバックしなければならないベストサブバンド（Ｂｅｓｔ  ｓｕｂｂａｎｄ）の数を表す。ＣＭフィールドは、端末が送信しなければならないコードブック（ｃｏｄｅｂｏｏｋ）モードを表し、ＣＳフィールドは、端末が送信しなければならないコードブックの種類を表す。Ｍｅａｓｕｒｅｍｅｎｔ  Ｍｅｔｈｏｄ  Ｉｎｄｉｃａｔｉｏｎフィールドは、端末がＣＱＩを測定しなければならない信号を表す。
【０１０３】
さらに、下記表１１〜表１４のように、前記Ｆｅｅｄｂａｃｋ  Ｐｏｌｌｉｎｇ  Ａ−ＭＡＰ  ＩＥにｍｕｌｔｉ−ＢＳ  ＭＩＭＯに対するフィードバックチャネルの解約を同じ方式で指示できる。仮に、ｍｕｌｔｉ−ＢＳ  ＭＩＭＯフィードバックチャネルを一般的な単一基地局（ｓｉｎｇｌｅ−ＢＳ）ＭＩＭＯのフィードバックチャネルと共に端末に割り当てることができる場合、仮に最大許容フィードバックチャネルの個数が４で、端末が２個のＭＦＭと相関行列、そしてｍｕｌｔｉ−ＢＳ  ＭＩＭＯ、総４個のフィードバックチャネルを順に割り当てられて運用していると、解約を知らせるビットマップは、４ビットの長さを有することができる。ここで、前記ビットマップの第１番目と第２番目のビットは、ｓｉｎｇｌｅ  ＢＳ  ＭＩＭＯのＭＦＭに対したファーストフィードバックチャネルを、第３番目のビットは、相関行列に対するファーストフィードバックチャネルを、最後の第４番目のビットは、ｍｕｌｔｉ−ＢＳ  ＭＩＭＯに対するファーストフィードバックチャネルを意味することができ、上記のような同じ方法で、基地局が解約しようとするフィードバックチャネルに該当するビットをアクティブにすることによって、端末に該当フィードバックチャネルの解約を指示できる。
【０１０４】
【表１１】
2011139470.tif 000013
【表１２】
2011139470.tif 000014
【表１３】
2011139470.tif 000015
【表１４】
2011139470.tif 000016
【０１０５】
図７Ａと図７Ｂは、本発明の第３の実施の形態に係るＯＦＤＭＡ方式を基盤とする無線通信システムにおいて、端末当たりの複数のファーストフィードバックチャネルを運用する場合、フィードバックチャネルの効率的な割り当て及び解約のための基地局の動作方法を示すフローチャートである。ここで、第３の実施の形態は、前記表７〜表１０又は表１１〜表１４のＦｅｅｄｂａｃｋ  Ｐｏｌｌｉｎｇ  Ａ−ＭＡＰ  ＩＥを利用してファーストフィードバックチャネルを運用する方案に関する。
【０１０６】
前記図７Ａと図７Ｂに示すように、基地局は、ステップ７０１にて端末に対して既存に割り当てられたフィードバックチャネルの解約と新しいフィードバックチャネルの割り当てのうち、どれが要求されるかを検査する。
【０１０７】
前記ステップ７０１にて、既存に割り当てられたフィードバックチャネルの解約が要求されると判断される場合、前記基地局は、ステップ７０３にてＦｅｅｄｂａｃｋ  Ｐｏｌｌｉｎｇ  Ａ−ＭＡＰ  ＩＥ内のＡｌｌｏｃａｔｉｏｎ  ｄｕｒａｔｉｏｎフィールドを０ｂ０００に設定する。これで、Ｆｅｅｄｂａｃｋ  Ｐｏｌｌｉｎｇ  Ａ−ＭＡＰ  ＩＥが既存に割り当てられたフィードバックチャネルの解約のためのメッセージであることを端末に知らせることができる。
【０１０８】
以後、前記基地局は、ステップ７０５にて既存に割り当てられた専用資源に対する解約であるか否かを検査する。
【０１０９】
前記ステップ７０５にて、既存に割り当てられた専用資源に対する解約であると判断される場合、前記基地局は、ステップ７０７にてＦｅｅｄｂａｃｋ  Ｐｏｌｌｉｎｇ  Ａ−ＭＡＰ  ＩＥ内のＤｅｄｉｃａｔｅｄ  ＵＬ  ａｌｌｏｃａｔｉｏｎフィールドを０ｂ０に設定する。これでＦｅｅｄｂａｃｋ  Ｐｏｌｌｉｎｇ  Ａ−ＭＡＰ  ＩＥが既存に割り当てられた専用資源に対する解約であることを端末に知らせることができる。
【０１１０】
以後、前記基地局は、ステップ７１１にてＦｅｅｄｂａｃｋ  Ｐｏｌｌｉｎｇ  Ａ−ＭＡＰ  ＩＥ内に解約しようとする専用資源に対する割り当て情報を設定し、ｐｏｌｌｉｎｇ  ｄｅａｌｌｏｃａｔｉｏｎ  ｂｉｔｍａｐフィールドにおいて前記専用資源内の解約しようとする一つ以上のフィードバックチャネルのＭＦＭに対応するビットをアクティブにした後、ステップ７１３に進む。これで既存に割り当てられたファーストフィードバックチャネルのうち、解約を望む一つ以上のファーストフィードバックチャネルを区分できる。
【０１１１】
反面、前記ステップ７０５にて、既存に割り当てられた一般資源に対する解約であると判断される場合、前記基地局は、ステップ７０９にてＦｅｅｄｂａｃｋ  Ｐｏｌｌｉｎｇ  Ａ−ＭＡＰ  ＩＥ内に解約しようとする専用資源に対する割り当て情報設定無しで、ｐｏｌｌｉｎｇ  ｄｅａｌｌｏｃａｔｉｏｎ  ｂｉｔｍａｐフィールドにおいて一般資源内の解約しようとする一つ以上のフィードバックチャネルのＭＦＭに対応するビットをアクティブにした後、前記ステップ７１３に進む。
【０１１２】
以後、前記基地局は、前記ステップ７１３にてＦｅｅｄｂａｃｋ  Ｐｏｌｌｉｎｇ  Ａ−ＭＡＰ  ＩＥ内のＨＦＡフィールドを介してＨＡＲＱフィードバックチャネルを割り当てし、ステップ７１５に進んで上記のように構成されたＦｅｅｄｂａｃｋ  Ｐｏｌｌｉｎｇ  Ａ−ＭＡＰ  ＩＥを端末に送信する。
【０１１３】
以後、前記基地局は、ステップ７１７にて端末から前記割り当てられたＨＡＲＱフィードバックチャネルを介してＡＣＫが受信されているか否かを検査する。
【０１１４】
前記ステップ７１７にて、前記端末からＡＣＫが受信されると判断される場合、前記基地局は、本発明に係るアルゴリズムを終了する。
【０１１５】
反面、前記ステップ７１７にて、前記端末から予め決まった時間内にＡＣＫが受信されないと判断される場合、前記基地局は、前記ステップ７１５に戻って、以下のステップを繰り返し行う。
【０１１６】
反面、前記ステップ７０１にて、新しいフィードバックチャネルの割り当てが要求されると判断される場合、前記基地局は、ステップ７１９にてＦｅｅｄｂａｃｋ  Ｐｏｌｌｉｎｇ  Ａ−ＭＡＰ  ＩＥ内のＡｌｌｏｃａｔｉｏｎ  ｄｕｒａｔｉｏｎフィールドを該当周期として設定する。これで、Ｆｅｅｄｂａｃｋ  Ｐｏｌｌｉｎｇ  Ａ−ＭＡＰ  ＩＥが新しいフィードバックチャネルの割り当てのためのメッセージであることを端末に知らせることができる。
【０１１７】
以後、前記基地局は、ステップ７２１にて新しい専用資源に対する割り当てなのか否かを検査する。
【０１１８】
前記ステップ７２１にて、新しい専用資源に対する割り当てであると判断される場合、前記基地局は、ステップ７２３にてＦｅｅｄｂａｃｋ  Ｐｏｌｌｉｎｇ  Ａ−ＭＡＰ  ＩＥ内のＤｅｄｉｃａｔｅｄ  ＵＬ  ａｌｌｏｃａｔｉｏｎフィールドを０ｂ１に設定する。これでＦｅｅｄｂａｃｋ  Ｐｏｌｌｉｎｇ  Ａ−ＭＡＰ  ＩＥが新しい専用資源に対する割り当てであることを端末に知らせることができる。
【０１１９】
以後、前記基地局は、ステップ７２５にてＦｅｅｄｂａｃｋ  Ｐｏｌｌｉｎｇ  Ａ−ＭＡＰ  ＩＥ内に割り当てようとする専用資源に対する割り当て情報と、割り当てようとする一つ以上のフィードバックチャネルに対する情報を含むＦｅｅｄｂａｃｋ  Ｐｏｌｌｉｎｇ  Ａ−ＭＡＰ  ＩＥを構成した後、ステップ７２７にて前記構成されたＦｅｅｄｂａｃｋ  Ｐｏｌｌｉｎｇ  Ａ−ＭＡＰ  ＩＥを端末に送信する。
【０１２０】
反面、前記ステップ７２１にて、新しい一般資源に対する割り当てであると判断される場合、前記基地局は、ステップ７２９にてＦｅｅｄｂａｃｋ  Ｐｏｌｌｉｎｇ  Ａ−ＭＡＰ  ＩＥ内に専用資源に対する割り当て情報無しで、割り当てようとする一つ以上のフィードバックチャネルに対する情報を含むＦｅｅｄｂａｃｋ  Ｐｏｌｌｉｎｇ  Ａ−ＭＡＰ  ＩＥを構成した後、ステップ７３１にて前記構成されたＦｅｅｄｂａｃｋ  Ｐｏｌｌｉｎｇ  Ａ−ＭＡＰ  ＩＥを端末に送信する。以後、前記基地局は、ステップ７３３にて資源割り当てのための追加的制御信号を構成し、端末にこれを周期的に送信する。
【０１２１】
以後、前記基地局は、本発明に係るアルゴリズムを終了する。
図８Ａと図８Ｂは、本発明の第３の実施の形態に係るＯＦＤＭＡ方式を基盤とする無線通信システムにおいて、端末当たりの複数のファーストフィードバックチャネルを運用する場合、ファーストフィードバックチャネルの効率的な割り当て及び解約のための端末の動作方法を示すフローチャートである。ここで、第３の実施の形態は、前記表７〜表１０又は表１１〜表１４のＦｅｅｄｂａｃｋ  Ｐｏｌｌｉｎｇ  Ａ−ＭＡＰ  ＩＥを利用して、ファーストフィードバックチャネルを運用する方案に関する。
【０１２２】
前記図８Ａと図８Ｂに示すように、端末は、ステップ８０１にて基地局からＦｅｅｄｂａｃｋ  Ｐｏｌｌｉｎｇ  Ａ−ＭＡＰ  ＩＥを受信する。
【０１２３】
以後、前記端末は、ステップ８０３にて前記受信されたＦｅｅｄｂａｃｋ  Ｐｏｌｌｉｎｇ  Ａ−ＭＡＰ  ＩＥ内のＡｌｌｏｃａｔｉｏｎ  ｄｕｒａｔｉｏｎフィールドが０ｂ０００に設定されているか否かを検査する。すなわち、前記受信されたＦｅｅｄｂａｃｋ  Ｐｏｌｌｉｎｇ  Ａ−ＭＡＰ  ＩＥが既存に割り当てられたファーストフィードバックチャネルの解約のためのメッセージであるか否かを検査する。
【０１２４】
前記ステップ８０３にて前記受信されたＦｅｅｄｂａｃｋ  Ｐｏｌｌｉｎｇ  Ａ−ＭＡＰ  ＩＥ内のＡｌｌｏｃａｔｉｏｎ  ｄｕｒａｔｉｏｎフィールドが０ｂ０００に設定されていると判断される場合、前記端末は、ステップ８０５にてＦｅｅｄｂａｃｋ  Ｐｏｌｌｉｎｇ  Ａ−ＭＡＰ  ＩＥ内のＤｅｄｉｃａｔｅｄ  ＵＬ  ａｌｌｏｃａｔｉｏｎフィールドが０ｂ０に設定されているか否かを検査する。すなわち、前記受信されたＦｅｅｄｂａｃｋ  Ｐｏｌｌｉｎｇ  Ａ−ＭＡＰ  ＩＥが既存に割り当てられた専用資源に対する解約のためのメッセージであるか否かを検査する。
【０１２５】
前記ステップ８０５にて、Ｆｅｅｄｂａｃｋ  Ｐｏｌｌｉｎｇ  Ａ−ＭＡＰ  ＩＥ内のＤｅｄｉｃａｔｅｄ  ＵＬ  ａｌｌｏｃａｔｉｏｎフィールドが０ｂ０に設定されていないと判断される場合、前記端末は、ステップ８０７にて前記受信されたＦｅｅｄｂａｃｋ  Ｐｏｌｌｉｎｇ  Ａ−ＭＡＰ  ＩＥ内のｐｏｌｌｉｎｇ  ｄｅａｌｌｏｃａｔｉｏｎ  ｂｉｔｍａｐフィールドを確認して解約しなければならないＭＦＭを確認し、これに対応するファーストフィードバックチャネルを解約した後、ステップ８１１に進む。ここで、前記端末は、ｐｏｌｌｉｎｇ  ｄｅａｌｌｏｃａｔｉｏｎ  ｂｉｔｍａｐフィールドにおいてアクティブになっているビットを確認し、確認されたビットに対応するＭＦＭを確認した後、前記確認されたＭＦＭに対応するファーストフィードバックチャネルを解約しなければならないファーストフィードバックチャネルと判断できる。
【０１２６】
反面、前記ステップ８０５にて、Ｆｅｅｄｂａｃｋ  Ｐｏｌｌｉｎｇ  Ａ−ＭＡＰ  ＩＥ内のＤｅｄｉｃａｔｅｄ  ＵＬ  ａｌｌｏｃａｔｉｏｎフィールドが０ｂ０に設定されていると判断される場合、前記端末は、ステップ８０９にて前記受信されたＦｅｅｄｂａｃｋ  Ｐｏｌｌｉｎｇ  Ａ−ＭＡＰ  ＩＥ内の解約しようとする専用資源に対する割り当て情報とｐｏｌｌｉｎｇ  ｄｅａｌｌｏｃａｔｉｏｎ  ｂｉｔｍａｐフィールドを確認して解約しなければならないＭＦＭを確認して、専用資源でこれに対応するファーストフィードバックチャネルを解約した後、前記ステップ８１１に進む。ここで、前記端末は、ｐｏｌｌｉｎｇ  ｄｅａｌｌｏｃａｔｉｏｎ  ｂｉｔｍａｐフィールドにおいてアクティブになっているビットを確認し、確認されたビットに対応するＭＦＭを確認した後、前記確認されたＭＦＭに対応するファーストフィードバックチャネルを解約しなければならないファーストフィードバックチャネルと判断できる。
【０１２７】
以後、前記端末は、前記ステップ８１１にてＦｅｅｄｂａｃｋ  Ｐｏｌｌｉｎｇ  Ａ−ＭＡＰ  ＩＥ内のＨＦＡフィールドを介してＨＡＲＱフィードバックチャネルが割り当てられているか否かを検査する。
【０１２８】
前記ステップ８１１にて、Ｆｅｅｄｂａｃｋ  Ｐｏｌｌｉｎｇ  Ａ−ＭＡＰ  ＩＥ内のＨＦＡフィールドを介してＨＡＲＱフィードバックチャネルが割り当てられていると判断される場合、前記端末は、ステップ８１３に進んで前記割り当てられたＨＡＲＱフィードバックチャネルを介して基地局にＡＣＫを送信した後、本発明に係るアルゴリズムを終了する。
【０１２９】
反面、前記ステップ８１１にて、Ｆｅｅｄｂａｃｋ  Ｐｏｌｌｉｎｇ  Ａ−ＭＡＰ  ＩＥ内のＨＦＡフィールドを介してＨＡＲＱフィードバックチャネルが割り当てられていないと判断される場合、前記端末は、本発明に係るアルゴリズムを終了する。
【０１３０】
反面、前記ステップ８０３にて、前記受信されたＦｅｅｄｂａｃｋ  Ｐｏｌｌｉｎｇ  Ａ−ＭＡＰ  ＩＥ内のＡｌｌｏｃａｔｉｏｎ  ｄｕｒａｔｉｏｎフィールドが０ｂ０００に設定されていないと判断される場合、前記端末は、ステップ８１５にてＦｅｅｄｂａｃｋ  Ｐｏｌｌｉｎｇ  Ａ−ＭＡＰ  ＩＥ内のＤｅｄｉｃａｔｅｄ  ＵＬ  ａｌｌｏｃａｔｉｏｎフィールドが０ｂ１に設定されているか否かを検査する。すなわち、前記受信されたＦｅｅｄｂａｃｋ  Ｐｏｌｌｉｎｇ  Ａ−ＭＡＰ  ＩＥが新しい専用資源に対する割り当てのためのメッセージであるか否かを検査する。
【０１３１】
前記ステップ８１５にて、Ｆｅｅｄｂａｃｋ  Ｐｏｌｌｉｎｇ  Ａ−ＭＡＰ  ＩＥ内のＤｅｄｉｃａｔｅｄ  ＵＬ  ａｌｌｏｃａｔｉｏｎフィールドが０ｂ１に設定されていると判断される場合、前記端末は、ステップ８１７にてＦｅｅｄｂａｃｋ  Ｐｏｌｌｉｎｇ  Ａ−ＭＡＰ  ＩＥで新しい専用資源割り当て情報及びフィードバックチャネル割り当て情報を確認し、確認された割り当て情報に従ってフィードバックを構成して端末に送信した後、本発明に係るアルゴリズムを終了する。
【０１３２】
反面、前記ステップ８１５にて、Ｆｅｅｄｂａｃｋ  Ｐｏｌｌｉｎｇ  Ａ−ＭＡＰ  ＩＥ内のＤｅｄｉｃａｔｅｄ  ＵＬ  ａｌｌｏｃａｔｉｏｎフィールドが０ｂ１に設定されていないと判断される場合、前記端末は、ステップ８１９にてＦｅｅｄｂａｃｋ  Ｐｏｌｌｉｎｇ  Ａ−ＭＡＰ  ＩＥで新しいフィードバックチャネル割り当て情報を確認し、確認された割り当て情報に従ってフィードバックを構成して端末に送信する。以後、前記端末は、ステップ８２１にて資源割り当てのための追加的制御信号を周期的に受信する。
以後、前記端末は、本発明に係るアルゴリズムを終了する。
【０１３３】
上述した通り、本発明は、ＯＦＤＭＡ方式を基盤とする無線通信システムにおいて端末当たりの複数のアップリンクファーストフィードバックチャネルを運用する場合、ダウンリンク制御信号内に解約が要求される既存ファーストフィードバックチャネルに対する情報をビットマップ形式で含めることによって、複数のファーストフィードバックチャネルに対して望む解約を端末に指示できて、進んで複数のファーストフィードバックチャネルを效率的に管理できるという利点がある。
【０１３４】
一方、本発明の詳細な説明では具体的な実施の形態について説明したが、本発明の範囲から逸脱しない範囲内で多様な変形が可能であることは勿論である。したがって、本発明の範囲は、上述の実施の形態に限って決まらず、特許請求の範囲だけでなく、特許請求の範囲と均等なものによって決まらねばならない。
【符号の説明】
【０１３５】
１００  スケジューラ
１０２  Ｆｅｅｄｂａｃｋ  Ａｌｌｏｃａｔｉｏｎ  Ａ−ＭＡＰメッセージ生成器
１０４  チャネル符号化器
１０６  変調器
１０８  資源マッパー
１１０  ＯＦＤＭ変調器
１１２  ＲＦ送信機
２００  ＲＦ受信機
２０２  ＯＦＤＭ復調器
２０４  資源デマッパー
２０６  復調器
２０８  チャネル復号化器
２１０  Ｆｅｅｄｂａｃｋ  Ａｌｌｏｃａｔｉｏｎ  Ａ−ＭＡＰメッセージ処理器
【図１】
2011139470.tif 000017
【図２】
2011139470.tif 000018
【図３】
2011139470.tif 000019
【図４】
2011139470.tif 000020
【図５Ａ】
2011139470.tif 000021
【図５Ｂ】
2011139470.tif 000022
【図６】
2011139470.tif 000023
【図７Ａ】
2011139470.tif 000024
【図７Ｂ】
2011139470.tif 000025
【図８Ａ】
2011139470.tif 000026
【図８Ｂ】
2011139470.tif 000027